(57)【要約】【課題】吸水時のウエルド強度及びロックウェル硬度、表面外観性、並びに、耐候変色性が良好な成形品を形成可能なポリアミド組成物を提供する。【解決手段】ポリアミド組成物は、（Ａ）脂肪族ポリアミド、（Ｂ）ジアミン単位とジカルボン酸単位とを含有する半芳香族ポリアミド、（Ｃ１）難燃剤、（Ｃ２）難燃助剤、（Ｄ）白色顔料、及び、（Ｅ）紫外線吸収剤を含有するポリアミド組成物であって、前記ポリアミド組成物のｔａｎδピーク温度が９０℃以上であり、且つ、前記ポリアミド組成物に含まれる（Ｄ）白色顔料に対する（Ｅ）紫外線吸収剤の質量比（Ｅ）／（Ｄ）が０．１５以上２．５０未満である。【選択図】なし【特許請求の範囲】
【請求項１】
（Ａ）脂肪族ポリアミド、
（Ｂ）ジアミン単位とジカルボン酸単位とを含有する半芳香族ポリアミド、
（Ｃ１）難燃剤、
（Ｃ２）難燃助剤、
（Ｄ）白色顔料、及び、
（Ｅ）紫外線吸収剤
を含有するポリアミド組成物であって、
前記ポリアミド組成物のｔａｎδピーク温度が９０℃以上であり、且つ、
前記ポリアミド組成物に含まれる（Ｄ）白色顔料に対する（Ｅ）紫外線吸収剤の質量比（Ｅ）／（Ｄ）が０．１５以上２．５０未満であるポリアミド組成物。
【請求項２】
前記（Ｂ）半芳香族ポリアミドが、前記（Ｂ）半芳香族ポリアミドを構成する全ジカルボン酸単位中、イソフタル酸単位を５０モル％以上含有し、且つ、前記ジアミン単位として、炭素数４以上１０以下のジアミン単位を含有する請求項１に記載のポリアミド組成物。
【請求項３】
前記（Ａ）脂肪族ポリアミドが、ジアミン単位とジカルボン酸単位とを含有する請求項１又は２に記載のポリアミド組成物。
【請求項４】
前記（Ａ）脂肪族ポリアミドがポリアミド６６である請求項１〜３のいずれか一項に記載のポリアミド組成物。
【請求項５】
前記ポリアミド組成物の重量平均分子量Ｍｗが１００００以上５００００以下である請求項１〜４のいずれか一項に記載のポリアミド組成物。
【請求項６】
さらに、（Ｆ）α，β不飽和ジカルボン酸無水物単位を含む重合体を含有する請求項１〜５のいずれか一項に記載のポリアミド組成物。
【請求項７】
前記（Ｆ）α，β不飽和ジカルボン酸無水物単位を含む重合体が、無水マレイン酸変性ポリフェニレンエーテルである請求項６に記載のポリアミド組成物。
【請求項８】
前記（Ａ）脂肪族ポリアミド及び前記（Ｂ）半芳香族ポリアミドのうち数平均分子量Ｍｎが５００以上２０００以下であるものの合計含有量が、前記ポリアミド組成物中のポリアミドの総質量に対して、０．５質量％以上２．５質量％未満である請求項１〜７のいずれか一項に記載のポリアミド組成物。
【請求項９】
分子量分布Ｍｗ／Ｍｎが２．４以下である請求項１〜８のいずれか一項に記載のポリアミド組成物。
【請求項１０】
アミノ末端とカルボキシル末端との総モル量に対するアミノ末端のモル量の比｛アミノ末端量／（アミノ末端量＋カルボキシル末端量）｝が０．１以上０．５未満である請求項１〜９のいずれか一項に記載のポリアミド組成物。
【請求項１１】
前記（Ｂ）半芳香族ポリアミドが、前記（Ｂ）半芳香族ポリアミドを構成する全ジカルボン酸単位中、イソフタル酸単位を１００モル％含有する請求項１〜１０のいずれか一項に記載のポリアミド組成物。
【請求項１２】
前記（Ｂ）半芳香族ポリアミドがポリアミド６Ｉである請求項１〜１１のいずれか一項に記載のポリアミド組成物。
【請求項１３】
前記（Ｂ）半芳香族ポリアミドの重量平均分子量Ｍｗ（Ｂ）が１００００以上２５０００以下である請求項１〜１２のいずれか一項に記載のポリアミド組成物。
【請求項１４】
前記（Ｂ）半芳香族ポリアミドの分子量分布Ｍｗ（Ｂ）／Ｍｎ（Ｂ）が２．４以下である請求項１〜１３のいずれか一項に記載のポリアミド組成物。
【請求項１５】
前記（Ｂ）半芳香族ポリアミドのギ酸相対粘度ＶＲ（Ｂ）に対する分子量分布Ｍｗ（Ｂ）の比Ｍｗ（Ｂ）／ＶＲ（Ｂ）が１０００以上２０００以下である請求項１〜１４のいずれか一項に記載のポリアミド組成物。
【請求項１６】
前記（Ｂ）半芳香族ポリアミドの含有量が、前記ポリアミド組成物中のポリアミドの総質量に対して、３０質量％以上５０質量％以下である請求項１〜１５のいずれか一項に記載のポリアミド組成物。
【請求項１７】
前記（Ａ）脂肪族ポリアミドの重量平均分子量Ｍｗ（Ａ）と前記（Ｂ）半芳香族ポリアミドの重量平均分子量Ｍｗ（Ｂ）との差｛Ｍｗ（Ａ）−Ｍｗ（Ｂ）｝が１００００以上である請求項１〜１６のいずれか一項に記載のポリアミド組成物。
【請求項１８】
前記（Ｂ）半芳香族ポリアミドの末端が酢酸によって封止されている請求項１〜１７のいずれか一項に記載のポリアミド組成物。
【請求項１９】
前記（Ｄ）白色顔料の含有量が、前記ポリアミド組成物の総質量に対して、０．１質量％以上５質量％以下である請求項１〜１８のいずれか一項に記載のポリアミド組成物。
【請求項２０】
前記（Ｄ）白色顔料が、ＺｎＳ及びＺｎＯから選ばれる少なくとも１つである請求項１〜１９のいずれか一項に記載のポリアミド組成物。
【請求項２１】
前記（Ｅ）紫外線吸収剤の含有量が、前記ポリアミド組成物の総質量に対して、０．１質量％以上５質量％以下である請求項１〜２０のいずれか一項に記載のポリアミド組成物。
【請求項２２】
前記（Ｅ）紫外線吸収剤が、ベンゾトリアゾール及びトリアジン系紫外線吸収剤から選ばれる少なくとも１つである請求項１〜２１のいずれか一項に記載のポリアミド組成物。
【請求項２３】
前記（Ｃ１）難燃剤が臭素化ポリスチレンであり、前記臭素化ポリスチレンの含有量が、前記ポリアミド組成物の総質量に対して、６質量％以上１５質量％以下であり、且つ、
前記（Ｃ２）難燃助剤がＳｂ２Ｏ３であり、前記Ｓｂ２Ｏ３の含有量が、前記ポリアミド組成物の総質量に対して、０．１質量％以上４質量％以下である請求項１〜２２のいずれか一項に記載のポリアミド組成物。
【請求項２４】
さらに、（Ｇ）充填材を含有する請求項１〜２３のいずれか一項に記載のポリアミド組成物。
【請求項２５】
前記（Ｇ）充填材がガラス繊維であり、前記ガラス繊維の含有量が、前記ポリアミド組成物の総質量に対して、４０質量％以上６０質量％以下である請求項２４に記載のポリアミド組成物。
【請求項２６】
請求項１〜２５のいずれか一項に記載のポリアミド組成物を成形してなり、表面光沢値が５０以上である成形品。
【発明の詳細な説明】
【技術分野】
【０００１】
本発明は、ポリアミド組成物及び成形品に関する。
【背景技術】
【０００２】
ポリアミド６（以下、「ＰＡ６」と略記する場合がある）及びポリアミド６６（以下、「ＰＡ６６」と略記する場合がある）等に代表されるポリアミドは、成形加工性、機械物性又は耐薬品性に優れている。そのため、自動車用、電気及び電子用、産業資材用、工業材料用、日用及び家庭品用等の各種部品材料として広く用いられている。
【０００３】
近年、ポリアミド樹脂の使用環境は熱的及び力学的に厳しくなっている。そのため、機械物性、特に、吸水後の剛性、及び、高温使用下での剛性を向上させた、あらゆる環境下での使用における物性変化が少ないポリアミド樹脂材料が要求されている。
【０００４】
また、ポリアミド樹脂を用いた成形品は、生産性を向上させるために、成形温度を高くし、金型温度を下げて行うハイサイクル成形条件で成形する場合がある。
【０００５】
一方、高温条件下で成形を行うと、ポリアミド樹脂の分解が発生したり、流動性変化が生じたりすることにより安定して成形品が得られない場合があるという問題がある。
【０００６】
よって、特に、上述したような過酷な成形条件下においても成形品表面外観の安定性に優れるポリアミド樹脂が要求されている。
【０００７】
このような要求に応えるため、成形品の表面外観及び機械特性を向上させることができる材料として、イソフタル酸成分を導入したポリアミド６６／６Ｉからなるポリアミド組成物が開示されている（例えば、特許文献１）。
【０００８】
また、機械特性、流動性、表面外観等を改良することができる材料として、テレフタル酸成分と、イソフタル酸成分とを導入したポリアミド６Ｔ／６Ｉからなるポリアミド組成物が開示されている（例えば、特許文献２、３、４参照）。
【０００９】
また、成形品の表面外観及び機械特性を向上させることができる材料として、テレフタル酸成分と、イソフタル酸成分とを導入したポリアミド６Ｔ／６Ｉ、及び、ポリアミド６６のアロイからなるポリアミド組成物が開示されている（例えば、特許文献５参照）。
【先行技術文献】
【特許文献】
【００１０】
【特許文献１】特開平６−０３２９８０号公報
【特許文献２】特開２０００−１５４３１６号公報
【特許文献３】特開平１１−３４９８０６号公報
【特許文献４】特開２０１３−１１９６１０号公報
【特許文献５】国際公開第２００５／０３５６６４号
【発明の概要】
【発明が解決しようとする課題】
【００１１】
しかしながら、特許文献１、３及び４に記載のポリアミド組成物では、通常の使用条件下での剛性は改良されるものの、吸水後の剛性（特に、ロックウェル硬度）において、改良の余地があった。
【００１２】
また、特許文献２及び５に記載の製造方法を用いて製造されたポリアミド組成物は、吸水後の剛性は改良されており、一般的な成形条件下での成形品の表面外観性は改良されている。しかしながら、ハイサイクル成形条件のような過酷な成形条件下では、成形品表面の外観及び安定性が低下してしまうという問題を有していた。
【００１３】
また、特に、自動車用外装部材の用途においては屋外にて過酷な環境下に長時間曝されるため、色調が変化してしまうという問題もあり、特許文献１〜５に記載のポリアミド組成物では、当該課題を解決することは困難であった。
【００１４】
このように、従来技術では、吸水後の剛性（特に、ロックウェル硬度）に優れ、且つ、あらゆる環境下での使用における物性変化が少ないポリアミド系材料は未だ知られていないのが実情であった。また、ポリアミド系材料の特徴である、機械的強度及び剛性のバランスを保持しつつ、吸水後の剛性の低下を抑えることは困難であり、このような物性を有するポリアミド共重合体又はポリアミドを含む組成物及び成形品が要望されている。
【００１５】
本発明は、上記事情に鑑みてなされたものであって、吸水時のウエルド強度及びロックウェル硬度、表面外観性、並びに、耐候変色性が良好な成形品を形成可能なポリアミド組成物を提供する。また、吸水時のウエルド強度及びロックウェル硬度、表面外観性、並びに、耐候変色性が良好な成形品を提供する。
【課題を解決するための手段】
【００１６】
すなわち、本発明は、以下の態様を含む。
本発明の第１態様に係るポリアミド組成物は、（Ａ）脂肪族ポリアミド、（Ｂ）ジアミン単位とジカルボン酸単位とを含有する半芳香族ポリアミド、（Ｃ１）難燃剤、（Ｃ２）難燃助剤、（Ｄ）白色顔料、及び、（Ｅ）紫外線吸収剤を含有するポリアミド組成物であって、前記ポリアミド組成物のｔａｎδピーク温度が９０℃以上であり、且つ、前記ポリアミド組成物に含まれる（Ｄ）白色顔料に対する（Ｅ）紫外線吸収剤の質量比（Ｅ）／（Ｄ）が０．１５以上２．５０未満である。
【００１７】
上記第１態様に係るポリアミド組成物において、前記（Ｂ）半芳香族ポリアミドが、前記（Ｂ）半芳香族ポリアミドを構成する全ジカルボン酸単位中、イソフタル酸単位を５０モル％以上含有し、且つ、前記ジアミン単位として、炭素数４以上１０以下のジアミン単位を含有してもよい。
【００１８】
上記第１態様に係るポリアミド組成物において、前記（Ａ）脂肪族ポリアミドが、ジアミン単位とジカルボン酸単位とを含有してもよい。
【００１９】
上記第１態様に係るポリアミド組成物において、前記（Ａ）脂肪族ポリアミドがポリアミド６６であってもよい。
【００２０】
上記第１態様に係るポリアミド組成物において、前記ポリアミド組成物の重量平均分子量Ｍｗが１００００以上５００００以下であってもよい。
【００２１】
上記第１態様に係るポリアミド組成物は、さらに、（Ｆ）α，β不飽和ジカルボン酸無水物単位を含む重合体を含有してもよい。
【００２２】
上記第１態様に係るポリアミド組成物において、前記（Ｆ）α，β不飽和ジカルボン酸無水物単位を含む重合体が、無水マレイン酸変性ポリフェニレンエーテルであってもよい。
【００２３】
上記第１態様に係るポリアミド組成物において、前記（Ａ）脂肪族ポリアミド及び前記（Ｂ）半芳香族ポリアミドのうち数平均分子量Ｍｎが５００以上２０００以下であるものの合計含有量が、前記ポリアミド組成物中のポリアミドの総質量に対して、０．５質量％以上２．５質量％未満であってもよい。
【００２４】
上記第１態様に係るポリアミド組成物において、分子量分布Ｍｗ／Ｍｎが２．４以下であってもよい。
【００２５】
上記第１態様に係るポリアミド組成物において、アミノ末端とカルボキシル末端との総モル量に対するアミノ末端のモル量の比｛アミノ末端量／（アミノ末端量＋カルボキシル末端量）｝が０．１以上０．５未満であってもよい。
【００２６】
上記第１態様に係るポリアミド組成物において、前記（Ｂ）半芳香族ポリアミドが、前記（Ｂ）半芳香族ポリアミドを構成する全ジカルボン酸単位中、イソフタル酸単位を１００モル％含有してもよい。
【００２７】
上記第１態様に係るポリアミド組成物において、前記（Ｂ）半芳香族ポリアミドがポリアミド６Ｉであってもよい。
【００２８】
上記第１態様に係るポリアミド組成物において、前記（Ｂ）半芳香族ポリアミドの重量平均分子量Ｍｗ（Ｂ）が１００００以上２５０００以下であってもよい。
【００２９】
上記第１態様に係るポリアミド組成物において、前記（Ｂ）半芳香族ポリアミドの分子量分布Ｍｗ（Ｂ）／Ｍｎ（Ｂ）が２．４以下であってもよい。
【００３０】
上記第１態様に係るポリアミド組成物において、前記（Ｂ）半芳香族ポリアミドのギ酸相対粘度ＶＲ（Ｂ）に対する分子量分布Ｍｗ（Ｂ）の比Ｍｗ（Ｂ）／ＶＲ（Ｂ）が１０００以上２０００以下であってもよい。
【００３１】
上記第１態様に係るポリアミド組成物において、前記（Ｂ）半芳香族ポリアミドの含有量が、前記ポリアミド組成物中のポリアミドの総質量に対して、３０質量％以上５０質量％以下であってもよい。
【００３２】
上記第１態様に係るポリアミド組成物において、前記（Ａ）脂肪族ポリアミドの重量平均分子量Ｍｗ（Ａ）と前記（Ｂ）半芳香族ポリアミドの重量平均分子量Ｍｗ（Ｂ）との差｛Ｍｗ（Ａ）−Ｍｗ（Ｂ）｝が１００００以上であってもよい。
【００３３】
上記第１態様に係るポリアミド組成物において、前記（Ｂ）半芳香族ポリアミドの末端が酢酸によって封止されていてもよい。
【００３４】
上記第１態様に係るポリアミド組成物において、前記（Ｄ）白色顔料の含有量が、前記ポリアミド組成物の総質量に対して、０．１質量％以上５質量％以下であってもよい。
【００３５】
上記第１態様に係るポリアミド組成物において、前記（Ｄ）白色顔料が、ＺｎＳ及びＺｎＯから選ばれる少なくとも１つであってもよい。
【００３６】
上記第１態様に係るポリアミド組成物において、前記（Ｅ）紫外線吸収剤の含有量が、前記ポリアミド組成物の総質量に対して、０．１質量％以上５質量％以下であってもよい。
【００３７】
上記第１態様に係るポリアミド組成物において、前記（Ｅ）紫外線吸収剤が、ベンゾトリアゾール及びトリアジン系紫外線吸収剤から選ばれる少なくとも１つであってもよい。
【００３８】
上記第１態様に係るポリアミド組成物において、前記（Ｃ１）難燃剤が臭素化ポリスチレンであり、前記臭素化ポリスチレンの含有量が、前記ポリアミド組成物の総質量に対して、６質量％以上１５質量％以下であってもよく、且つ、前記（Ｃ２）難燃助剤がＳｂ２Ｏ３であり、前記Ｓｂ２Ｏ３の含有量が、前記ポリアミド組成物の総質量に対して、０．１質量％以上４質量％以下であってもよい。
【００３９】
上記第１態様に係るポリアミド組成物は、さらに、（Ｇ）充填材を含有してもよい。
【００４０】
上記第１態様に係るポリアミド組成物において、前記（Ｇ）充填材がガラス繊維であり、前記ガラス繊維の含有量が、前記ポリアミド組成物の総質量に対して、４０質量％以上６０質量％以下であってもよい。
【００４１】
本発明の第２態様に係る成形品は、上記第１態様に係るポリアミド組成物を成形してなり、表面光沢値が５０以上である。
【発明の効果】
【００４２】
上記態様のポリアミド組成物によれば、吸水時のウエルド強度及びロックウェル硬度、表面外観性、並びに、耐候変色性が良好な成形品を形成できる。また、上記態様の成形品は、吸水時のウエルド強度及びロックウェル硬度、表面外観性、並びに、耐候変色性が良好である。
【発明を実施するための形態】
【００４３】
以下、本発明を実施するための形態（以下、単に「本実施形態」という）について詳細に説明する。以下の本実施形態は、本発明を説明するための例示であり、本発明を以下の内容に限定する趣旨ではない。本発明は、その要旨の範囲内で適宜に変形して実施できる。
【００４４】
なお、本明細書において、「ポリアミド」とは主鎖中にアミド（−ＮＨＣＯ−）基を有する重合体を意味する。
【００４５】
≪ポリアミド組成物≫
本実施形態のポリアミド組成物は以下の（Ａ）〜（Ｅ）を含有する。
（Ａ）脂肪族ポリアミド；
（Ｂ）ジアミン単位とジカルボン酸単位とを含有する半芳香族ポリアミド；
（Ｃ１）難燃剤；
（Ｃ２）難燃助剤；
（Ｄ）白色顔料；
（Ｅ）紫外線吸収剤。
【００４６】
本実施形態のポリアミド組成物の分子量及びｔａｎδピーク温度は、下記構成とすることができ、具体的には、後述する実施例に記載の方法により測定することができる。
【００４７】
＜ポリアミド組成物の重量平均分子（Ｍｗ）＞
ポリアミド組成物の分子量の指標としては、重量平均分子（Ｍｗ）を利用できる。
【００４８】
ポリアミド組成物の重量平均分子（Ｍｗ）は１００００以上５００００以下であり、１７０００以上４００００以下が好ましく、２００００以上３５０００以下がより好ましく、２２０００以上３４０００以下がさらに好ましく、２４０００以上３３０００以下が特に好ましく、２５０００以上３２０００以下が最も好ましい。
【００４９】
ポリアミド組成物の重量平均分子（Ｍｗ）が上記範囲であることにより、機械的性質、特に吸水剛性、熱時剛性、流動性等により優れるポリアミドが得られる。また、充填材に代表される成分を含有させたポリアミド組成物から得られた成形品は、表面外観により優れたものとなる。
【００５０】
ポリアミド組成物のＭｗを上記範囲内に制御する方法としては、例えば、（Ａ）脂肪族ポリアミド及び（Ｂ）半芳香族ポリアミドのＭｗが後述する範囲のものを使用すること等が挙げられる。
【００５１】
なお、Ｍｗ（重量平均分子量）の測定は、後述の実施例に記載するように、ＧＰＣ（ゲルパーミエーションクロマトグラフィー）を用いて測定することができる。
【００５２】
＜（Ａ）脂肪族ポリアミド及び前記（Ｂ）半芳香族ポリアミドのうち、数平均分子量Ｍｎが５００以上２０００以下であるものの合計含有量＞
（Ａ）脂肪族ポリアミド及び前記（Ｂ）半芳香族ポリアミドのうち、数平均分子量Ｍｎが５００以上２０００以下であるものの合計含有量は、ポリアミド組成物中のポリアミド全質量に対して、０．５質量％以上２．５質量％未満が好ましく、０．８質量％以上２．５質量％未満がより好ましく、１．０質量％以上２．５質量％未満がさらに好ましく、１．２質量％以上２．５質量％未満が特に好ましく、１．４質量％以上２．５質量％未満がもっと好ましい。
【００５３】
（Ａ）脂肪族ポリアミド及び前記（Ｂ）半芳香族ポリアミドのうち、数平均分子量Ｍｎが５００以上２０００以下であるものの合計含有量が上記下限値以上であることにより、流動性により優れ、且つ、（Ｇ）充填材に代表される成分を含有させたポリアミド組成物から得られる成形品を、表面外観性により優れたものとすることができる傾向にある。また、合計含有量が上記上限値未満であることにより、成形時のガス発生をより効果的に抑制することができる傾向にある。
【００５４】
（Ａ）脂肪族ポリアミド及び前記（Ｂ）半芳香族ポリアミドのうち、数平均分子量Ｍｎが５００以上２０００以下であるものの合計含有量を上記範囲内に制御する方法としては、例えば、（Ｂ）半芳香族ポリアミドの分子量を調整する方法等が挙げられる。このとき、（Ｂ）半芳香族ポリアミドの重量平均分子量（Ｍｗ（Ｂ））は１００００以上２５０００以下が好ましい。
【００５５】
なお、（Ａ）脂肪族ポリアミド及び前記（Ｂ）半芳香族ポリアミドのうち、数平均分子量Ｍｎが５００以上２０００以下であるものの合計含有量は、ＧＰＣを用いて、後述する実施例での測定条件における溶出曲線より求めることができる。
【００５６】
また、ＧＰＣ測定の際に、（Ａ）脂肪族ポリアミド及び（Ｂ）半芳香族ポリアミドを含有する組成物中に、ポリアミドを溶解させる溶媒に可溶である他の成分が含有される場合は、ポリアミドは不溶だが他の成分は可溶な溶媒を用いて、他の成分を抽出して除去した後、ＧＰＣ測定を行うことができる。また、ポリアミドを溶解させる溶媒に不溶である（Ｇ）充填材等は、ポリアミド組成物を溶解させる溶媒に溶解させ、次いで、ろ過して不溶物を除去した後、ＧＰＣ測定を行うことができる。  
【００５７】
＜ポリアミド組成物の分子量分布＞
本実施形態のポリアミド組成物の分子量分布は、重量平均分子量（Ｍｗ）／数平均分子量（Ｍｎ）を指標とする。
【００５８】
本実施形態のポリアミド組成物の重量平均分子量（Ｍｗ）／数平均分子量（Ｍｎ）は、２．４以下であり、１．０以上２．４以下が好ましく、１．７以上２．３以下がより好ましく、１．８以上２．２以下がさらに好ましく、１．９以上２．１以下が特に好ましい。
【００５９】
重量平均分子量（Ｍｗ）／数平均分子量（Ｍｎ）が上記範囲であることにより、流動性等により優れるポリアミド組成物が得られる傾向にある。また、（Ｇ）充填材に代表される成分を含有させたポリアミド組成物から得られる成形品は、表面外観性により優れたものとなる傾向にある。
【００６０】
ポリアミド組成物の重量平均分子量（Ｍｗ）／数平均分子量（Ｍｎ）を上記範囲内に制御する方法としては、（Ｂ）半芳香族ポリアミドの重量平均分子量（Ｍｗ（Ｂ））／数平均分子量（Ｍｎ（Ｂ））を後述する範囲にする方法等が挙げられる。
【００６１】
ポリアミド組成物の分子構造中に芳香族化合物単位が含有していると、高分子量化に伴い、分子量分布（Ｍｗ／Ｍｎ）が高くなる傾向がある。分子量分布が高いことは分子の三次元構造を有するポリアミド分子の割合が高いことを示す。よって、Ｍｗ／Ｍｎを上記範囲内に制御することで、高温加工時において分子の三次元構造化の進行を抑制し、流動性等により優れるポリアミド組成物が得られる。また、（Ｇ）充填材に代表される成分を含有させたポリアミド組成物から得られる成形品の表面外観がより優れたものとなる。
【００６２】
ポリアミド組成物の重量平均分子量（Ｍｗ）／数平均分子量（Ｍｎ）は、後述する実施例に示すように、ＧＰＣを用いて得られた重量平均分子量（Ｍｗ）、数平均分子量（Ｍｎ）を使用して計算することができる。
【００６３】
＜ポリアミド組成物のｔａｎδピーク温度＞
ポリアミド組成物のｔａｎδピーク温度の下限値は、９０℃であり、１０５℃が好ましく、１１０℃がより好ましく、１１５℃がさらに好ましい。
【００６４】
一方、ポリアミド組成物のｔａｎδピーク温度の上限値は、１５０℃が好ましく、１４０℃がより好ましく、１３０℃がさらに好ましい。
【００６５】
すなわち、ポリアミド組成物のｔａｎδピーク温度は、９０℃以上であり、１０５℃以上１５０℃以下が好ましく、１１０℃以上１４０℃以下がより好ましく、１１５℃以上１３０℃以下がさらに好ましい。
【００６６】
ポリアミド組成物のｔａｎδピーク温度が上記下限値以上であることにより、吸水剛性、及び、熱時剛性により優れるポリアミド組成物を得ることができる傾向にある。一方、ポリアミド組成物のｔａｎδピーク温度が上記上限値以下であることにより、（Ｇ）充填材に代表される成分を含有させたポリアミド組成物から得られる成形品は、表面外観により優れたものとなる傾向にある。
【００６７】
ポリアミド組成物のｔａｎδピーク温度を上記範囲内に制御する方法としては、例えば、（Ａ）脂肪族ポリアミド、及び、（Ｂ）半芳香族ポリアミドの含有量を後述する範囲に制御する方法等が挙げられる。
【００６８】
＜アミノ末端量とカルボキシル末端量との総モル量に対するアミノ末端のモル量の比＞
本実施形態のポリアミド組成物において、アミノ末端量とカルボキシル末端量との総モル量に対するアミノ末端のモル量の比｛アミノ末端量／（アミノ末端量＋カルボキシル末端量）｝は０．１以上０．５未満が好ましく、０．２５以上０．４未満がより好ましく、０．２５以上０．３５未満がさらに好ましい。
【００６９】
アミノ末端量とカルボキシル末端量との総モル量に対するアミノ末端のモル量の比が上記下限値以上であることにより、押出機や成形機の腐食をより効果的に抑制することができる傾向にある。アミノ末端量とカルボキシル末端量との総モル量に対するアミノ末端のモル量の比が上記上限値未満であることにより、熱や光に対する変色により優れたポリアミド組成物とすることができる傾向にある。
【００７０】
＜（Ｄ）白色顔料に対する（Ｅ）紫外線吸収剤の質量比（（Ｅ）／（Ｄ））＞
本実施形態のポリアミド組成物において、（Ｄ）白色顔料に対する（Ｅ）紫外線吸収剤の質量比（（Ｅ）紫外線吸収剤／（Ｄ）白色顔料）は０．１５以上２．５０未満であり、０．１５以上２．０以下が好ましく、０．２０以上２．０以下がより好ましく、０．３０以上１．５以下がさらに好ましく、０．３０以上１．０以下が特に好ましい。
【００７１】
（Ｅ）／（Ｄ）が上記下限値以上とすることにより、耐候変色性により優れたポリアミド組成物とすることができる。（Ｅ）／（Ｄ）が上記上限値未満とすることにより、成形性と外観と機械物性とにより優れたポリアミド組成物とすることができる。
【００７２】
本実施形態のポリアミド組成物は、上記構成を有することにより、吸水時のウエルド強度及びロックウェル硬度、表面外観性、並びに、耐候変色性が良好な成形品を形成できる。
【００７３】
以下、本実施形態のポリアミド組成物の各構成成分の詳細について説明する。
【００７４】
＜（Ａ）脂肪族ポリアミド＞
本実施形態のポリアミド組成物に含まれる（Ａ）脂肪族ポリアミドは、以下の（１）又は（２）の構成単位を含有することが好ましい。
（１）（Ａ−ａ）脂肪族ジカルボン酸単位と（Ａ−ｂ）脂肪族ジアミン単位とを含有すること。
（２）（Ａ−ｃ）ラクタム単位及びアミノカルボン酸単位からなる群より選択される少なくとも１種を含有すること。
【００７５】
［（Ａ−ａ）脂肪族ジカルボン酸単位］
（Ａ−ａ）脂肪族ジカルボン酸単位を構成する脂肪族ジカルボン酸としては、例えば、炭素数３以上２０以下の直鎖状又は分岐鎖状飽和脂肪族ジカルボン酸等が挙げられる。
【００７６】
炭素数３以上２０以下の直鎖状飽和脂肪族ジカルボン酸としては、以下に限定されるものではないが、例えば、マロン酸、コハク酸、グルタル酸、アジピン酸、ピメリン酸、スベリン酸、アゼライン酸、セバシン酸、ドデカン二酸、テトラデカン二酸、ヘキサデカン二酸、オクタデカン二酸、エイコサン二酸、ジグリコール酸等が挙げられる。
【００７７】
炭素数３以上２０以下の分岐鎖状飽和脂肪族ジカルボン酸としては、以下に限定されるものではないが、例えば、ジメチルマロン酸、２，２−ジメチルコハク酸、２，３−ジメチルグルタル酸、２，２−ジエチルコハク酸、２，３−ジエチルグルタル酸、２，２−ジメチルグルタル酸、２−メチルアジピン酸、トリメチルアジピン酸等が挙げられる。
【００７８】
これら（Ａ−ａ）脂肪族ジカルボン酸単位を構成する脂肪族ジカルボン酸は、１種のみを単独で用いてもよく、２種以上を組み合わせて用いてもよい。
【００７９】
中でも、ポリアミド組成物の耐熱性、流動性、靭性、低吸水性、及び、剛性等がより優れる傾向にあるので、（Ａ−ａ）脂肪族ジカルボン酸単位を構成する脂肪族ジカルボン酸としては、炭素数６以上の直鎖状飽和脂肪族ジカルボン酸が好ましい。
【００８０】
好ましい炭素数６以上の直鎖状飽和脂肪族ジカルボン酸として具体的には、例えば、アジピン酸、セバシン酸、ドデカン二酸、テトラデカン二酸、ヘキサデカン二酸、オクタデカン二酸、エイコサン二酸等が挙げられる。
【００８１】
中でも、炭素数６以上の直鎖状飽和脂肪族ジカルボン酸としては、ポリアミド組成物の耐熱性等の観点で、アジピン酸、セバシン酸又はドデカン二酸が好ましい。
【００８２】
また、（Ａ）脂肪族ポリアミドは、本実施形態のポリアミド組成物の効果を損なわない範囲で、必要に応じて、３価以上の多価カルボン酸に由来する単位をさらに含んでもよい。３価以上の多価カルボン酸としては、例えば、トリメリット酸、トリメシン酸、ピロメリット酸等が挙げられる。これら３価以上の多価カルボン酸は、１種のみを単独で用いてもよいし、２種類以上を組み合わせて用いてもよい。
【００８３】
［（Ａ−ｂ）脂肪族ジアミン単位］
（Ａ−ｂ）脂肪族ジアミン単位を構成する脂肪族ジアミンとしては、例えば、炭素数２以上２０以下の直鎖状飽和脂肪族ジアミン、又は、炭素数３以上２０以下の分岐鎖状飽和脂肪族ジアミン等が挙げられる。
【００８４】
炭素数２以上２０以下の直鎖飽和脂肪族ジアミンとしては、以下に限定されるものではないが、例えば、エチレンジアミン、プロピレンジアミン、テトラメチレンジアミン、ペンタメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、トリデカメチレンジアミン等が挙げられる。
【００８５】
炭素数３以上２０以下の分岐鎖状飽和脂肪族ジアミンとしては、以下に限定されるものではないが、例えば、２−メチルペンタメチレンジアミン（２−メチル−１，５−ジアミノペンタンともいう。）、２，２，４−トリメチルヘキサメチレンジアミン、２，４，４−トリメチルヘキサメチレンジアミン、２−メチル−１，８−オクタンジアミン（２−メチルオクタメチレンジアミンともいう。）、２，４−ジメチルオクタメチレンジアミン等が挙げられる。
【００８６】
これら（Ａ−ｂ）脂肪族ジアミン単位を構成する脂肪族ジアミンは、１種のみを単独で用いてもよく、２種以上を組み合わせて用いてもよい。
【００８７】
中でも、（Ａ−ｂ）脂肪族ジアミン単位を構成する脂肪族ジアミンの炭素数は６以上１２以下が好ましく、６以上１０以下がより好ましい。（Ａ−ｂ）脂肪族ジアミン単位を構成する脂肪族ジアミンの炭素数が上記下限値以上であることにより、得られる成形品の耐熱性がより優れる。一方、当該炭素数が上記上限値以下であることにより、得られる成形品の結晶性及び離形性がより優れる。
【００８８】
好ましい炭素数６以上１２以下の直鎖状又は分岐鎖状飽和脂肪族ジアミンとして具体的には、例えば、ヘキサメチレンジアミン、２−メチルペンタメチレンジアミン、又は、２−メチル−１，８−オクタンジアミン等が挙げられる。
【００８９】
中でも、炭素数６以上１２以下の直鎖状又は分岐鎖状飽和脂肪族ジアミンとしては、ヘキサメチレンジアミン、又は、２−メチルペンタメチレンジアミンが好ましい。このような（Ａ−ｂ）脂肪族ジアミン単位を含むことにより、ポリアミド組成物から得られる成形品の耐熱性及び剛性等がより優れる。
【００９０】
また、（Ａ）脂肪族ポリアミドは、本実施形態のポリアミド組成物の効果を損なわない範囲で、必要に応じて、３価以上の多価脂肪族アミンに由来する単位をさらに含んでもよい。３価以上の多価脂肪族アミンとしては、例えば、ビスヘキサメチレントリアミン等が挙げられる。
【００９１】
［（Ａ−ｃ）ラクタム単位及びアミノカルボン酸単位からなる群より選択される少なくとも１種］
（Ａ）脂肪族ポリアミドは、（Ａ−ａ）脂肪族ジカルボン酸単位と（Ａ−ｂ）脂肪族ジアミン単位との代わりに、（Ａ−ｃ）ラクタム単位及びアミノカルボン酸単位からなる群より選択される少なくとも１種を含有することができる。このような単位を含むことにより、靭性に優れるポリアミドが得られる傾向にある。
【００９２】
なお、ここでいう、「ラクタム単位」、並びに、「アミノカルボン酸単位」とは、重（縮）合したラクタム及びアミノカルボン酸のことをいう。
【００９３】
ラクタム単位又はアミノカルボン酸単位を構成するラクタムとしては、以下に限定されるものではないが、例えば、ブチロラクタム、ピバロラクタム、ε−カプロラクタム、カプリロラクタム、エナントラクタム、ウンデカノラクタム、ラウロラクタム（ドデカノラクタム）等が挙げられる。
【００９４】
中でも、ラクタム単位又はアミノカルボン酸単位を構成するラクタムとしては、ε−カプロラクタム、又は、ラウロラクタムが好ましく、ε−カプロラクタムがより好ましい。このようなラクタムを含むことにより、ポリアミド組成物から得られる成形品の靭性がより優れる傾向にある。
【００９５】
アミノカルボン酸単位を構成するアミノカルボン酸としては、以下に限定されるものではないが、例えば、ラクタムが開環した化合物であるω−アミノカルボン酸やα，ω−アミノ酸等が挙げられる。
【００９６】
アミノカルボン酸単位を構成するアミノカルボン酸としては、ω位がアミノ基で置換された炭素数４以上１４以下の直鎖状又は分岐鎖状飽和脂肪族カルボン酸が好ましい。このようなアミノカルボン酸としては、以下に限定されるものではないが、例えば、６−アミノカプロン酸、１１−アミノウンデカン酸、１２−アミノドデカン酸等が挙げられる。また、アミノカルボン酸としては、パラアミノメチル安息香酸等も挙げられる。
【００９７】
これら（Ａ−ｃ）ラクタム単位及びアミノカルボン酸単位からなる群より選択される少なくとも１種を構成するラクタム及びアミノカルボン酸は、それぞれ１種のみを単独で用いてもよいし、２種類以上を組み合わせて用いてもよい。
【００９８】
中でも、本実施形態のポリアミド組成物に含まれる（Ａ）脂肪族ポリアミドとしては、機械特性、耐熱性、成形性及び靱性の観点から、ジカルボン酸単位とジアミン単位とを含有するポリアミドが好ましく、ポリアミド６６（ＰＡ６６）がより好ましい。ＰＡ６６は、機械特性、耐熱性、成形性及び靭性に優れていることから、自動車用部品に適した材料と考えられている。
【００９９】
本実施形態のポリアミド組成物中の（Ａ）脂肪族ポリアミドの含有量は、ポリアミド組成物中のポリアミドの総質量に対して、例えば５０質量％以上１００質量％以下とすることができ、例えば５５質量％以上１００質量％以下とすることができ、例えば５７質量％以上１００質量％以下とすることができる。
【０１００】
＜（Ｂ）半芳香族ポリアミド＞
本実施形態のポリアミド組成物に含まれる（Ｂ）半芳香族ポリアミドは、ジアミン単位とジカルボン酸単位とを含有するポリアミドである。
【０１０１】
（Ｂ）半芳香族ポリアミドは、（Ｂ）半芳香族ポリアミドの全構成単位に対して、２０モル％以上８０モル％以下の芳香族構成単位を含むことが好ましく、３０モル％以上７０モル％以下の芳香族構成単位を含むことがより好ましく、４０モル％以上６０モル％以下の芳香族構成単位を含むことがさらに好ましい。ここでいう、「芳香族構成単位」とは、芳香族ジアミン単位及び芳香族ジカルボン酸単位を意味する。
【０１０２】
（Ｂ）半芳香族ポリアミドは、（Ｂ）半芳香族ポリアミドの全ジカルボン酸単位に対して、イソフタル酸単位を５０モル％以上含む（Ｂ−ａ）ジカルボン酸単位と、炭素数４以上１０以下のジアミン単位を含む（Ｂ−ｂ）ジアミン単位とを含有するポリアミドであることが好ましい。
【０１０３】
また、このとき、（Ｂ）半芳香族ポリアミド中のイソフタル酸単位及び炭素数４以上１０以下のジアミン単位の合計含有量は、（Ｂ）半芳香族ポリアミドの全構成単位に対して、５０モル％以上が好ましく、８０モル％以上１００モル％以下がより好ましく、９０モル％以上１００モル％以下がさらに好ましく、１００モル％が特に好ましい。
【０１０４】
なお、（Ｂ）半芳香族ポリアミドを構成する所定の単量体単位の割合は、核磁気共鳴分光法（ＮＭＲ）等により測定することができる。
【０１０５】
［（Ｂ−ａ）ジカルボン酸単位］
（Ｂ−ａ）ジカルボン酸単位としては、特に限定されず、例えば、芳香族ジカルボン酸単位、脂肪族ジカルボン酸単位、脂環族ジカルボン酸単位等が挙げられる。
【０１０６】
中でも、（Ｂ−ａ）ジカルボン酸単位としては、（Ｂ−ａ）ジカルボン酸の全モル数に対して、イソフタル酸を５０モル％以上含むことが好ましく、イソフタル酸を６５モル％以上１００モル％以下含むことがより好ましく、７０モル％以上１００モル％以下含むことがさらに好ましく、８０モル％以上１００モル％以下含むことが特に好ましく、１００モル％含むことが最も好ましい。
【０１０７】
（Ｂ−ａ）ジカルボン酸単位中のイソフタル酸単位の割合が上記下限値以上であることにより、機械的性質、特に吸水剛性、熱時剛性、流動性等を同時に満足できるポリアミド組成物が得られる傾向にある。また、ポリアミド組成物から得られる成形品について、表面外観性がより優れる傾向にある。
【０１０８】
（芳香族ジカルボン酸単位）
イソフタル酸単位以外の芳香族ジカルボン酸単位を構成する芳香族ジカルボン酸としては、以下に限定されるものではないが、例えば、フェニル基、ナフチル基等の芳香族基を有するジカルボン酸が挙げられる。芳香族ジカルボン酸の芳香族基は、無置換でもよく、置換基を有していてもよい。
【０１０９】
この置換基としては、特に限定されないが、例えば、炭素数１以上４以下のアルキル基、炭素数６以上１０以下のアリール基、炭素数７以上１０以下のアリールアルキル基、ハロゲン基、炭素数１以上６以下のシリル基、スルホン酸基及びその塩（ナトリウム塩等）等が挙げられる。
【０１１０】
炭素数１以上４以下のアルキル基としては、以下に限定されるものではないが、例えば、メチル基、エチル基、ｎ−プロピル基、イソプロピル基、ｎ−ブチル基、イソブチル基、ｔｅｒｔ−ブチル基等が挙げられる。
【０１１１】
炭素数６以上１０以下のアリール基としては、以下に限定されるものではないが、例えば、フェニル基、トリル基、キシリル基、ナフチル基等が挙げられる。
【０１１２】
炭素数７以上１０以下のアリールアルキル基としては、以下に限定されるものではないが、例えば、ベンジル基等が挙げられる。
【０１１３】
ハロゲン基としては、以下に限定されるものではないが、例えば、フルオロ基、クロロ基、ブロモ基、ヨード基等が挙げられる。
【０１１４】
炭素数１以上６以下のシリル基としては、以下に限定されるものではないが、例えば、トリメチルシリル基、ｔｅｒｔ−ブチルジメチルシリル基等が挙げられる。
【０１１５】
中でも、イソフタル酸単位以外の芳香族ジカルボン酸単位を構成する芳香族ジカルボン酸としては、無置換又は所定の置換基で置換された炭素数８以上２０以下の芳香族ジカルボン酸が好ましい。
【０１１６】
無置換又は所定の置換基で置換された炭素数８以上２０以下の芳香族ジカルボン酸として具体的には、以下に限定されるものではないが、例えば、テレフタル酸、ナフタレンジカルボン酸、２−クロロテレフタル酸、２−メチルテレフタル酸、５−メチルイソフタル酸、５−ナトリウムスルホイソフタル酸等が挙げられる。
【０１１７】
芳香族ジカルボン酸単位を構成する芳香族ジカルボン酸は、１種のみを単独で用いてもよく、２種以上を組み合わせて用いてもよい。
【０１１８】
（脂肪族ジカルボン酸単位）
脂肪族ジカルボン酸単位を構成する脂肪族ジカルボン酸としては、炭素数３以上２０以下の直鎖状又は分岐鎖状飽和脂肪族ジカルボン酸等が挙げられる。
【０１１９】
炭素数３以上２０以下の直鎖状飽和脂肪族ジカルボン酸としては、以下に限定されるものではないが、例えば、マロン酸、コハク酸、グルタル酸、アジピン酸、ピメリン酸、スベリン酸、アゼライン酸、セバシン酸、ドデカン二酸、テトラデカン二酸、ヘキサデカン二酸、オクタデカン二酸、エイコサン二酸、ジグリコール酸等が挙げられる。
【０１２０】
炭素数３以上２０以下の分岐鎖状飽和脂肪族ジカルボン酸としては、以下に限定されるものではないが、例えば、ジメチルマロン酸、２，２−ジメチルコハク酸、２，３−ジメチルグルタル酸、２，２−ジエチルコハク酸、２，３−ジエチルグルタル酸、２，２−ジメチルグルタル酸、２−メチルアジピン酸、トリメチルアジピン酸等が挙げられる。
【０１２１】
（脂環族ジカルボン酸単位）
脂環族ジカルボン酸単位（以下、「脂環式ジカルボン酸単位」と称する場合がある）を構成する脂環族ジカルボン酸としては、以下に限定されるものではないが、例えば、脂環構造の炭素数が３以上１０以下の脂環族ジカルボン酸等が挙げられる。中でも、脂環族ジカルボン酸としては、脂環構造の炭素数が５以上１０以下の脂環族ジカルボン酸が好ましい。
【０１２２】
このような脂環族ジカルボン酸としては、以下に限定されるものではないが、例えば、１，４−シクロヘキサンジカルボン酸、１，３−シクロヘキサンジカルボン酸、１，３−シクロペンタンジカルボン酸等が挙げられる。中でも、脂環族ジカルボン酸としては、１，４−シクロヘキサンジカルボン酸が好ましい。
【０１２３】
なお、脂環族ジカルボン酸単位を構成する脂環族ジカルボン酸は、１種のみを単独で用いてもよいし、２種類以上を組み合わせて用いてもよい。
【０１２４】
脂環族ジカルボン酸の脂環族基は、無置換でもよく、置換基を有していてもよい。置換基としては、例えば、炭素数１以上４以下のアルキル基等が挙げられる。炭素数１以上４以下のアルキル基としては、上記「芳香族ジカルボン酸単位」において例示されたものと同様のものが挙げられる。
【０１２５】
イソフタル酸単位以外のジカルボン酸単位としては、芳香族ジカルボン酸単位を含むことが好ましく、炭素数６以上の芳香族ジカルボン酸を含むことがより好ましい。
【０１２６】
このようなジカルボン酸を用いることにより、機械的性質、特に吸水剛性、熱時剛性、流動性等を同時に満足できるポリアミド組成物が得られる傾向にある。また、ポリアミド組成物から得られる成形品について、表面外観性がより優れる傾向にある。
【０１２７】
（Ｂ）半芳香族ポリアミドにおいて、（Ｂ−ａ）ジカルボン酸単位を構成するジカルボン酸としては、上記ジカルボン酸として記載の化合物に限定されるものではなく、上記ジカルボン酸と等価な化合物であってもよい。
【０１２８】
ここでいう、「ジカルボン酸と等価な化合物」とは、上記ジカルボン酸に由来するジカルボン酸構造と同様のジカルボン酸構造となり得る化合物を意味する。このような化合物としては、以下に限定されるものではないが、例えば、ジカルボン酸の無水物、ジカルボン酸のハロゲン化物等が挙げられる。
【０１２９】
また、（Ｂ）半芳香族ポリアミドは、本実施形態のポリアミド組成物の効果を損なわない範囲で、必要に応じて、３価以上の多価カルボン酸に由来する単位をさらに含んでもよい。
【０１３０】
３価以上の多価カルボン酸としては、例えば、トリメリット酸、トリメシン酸、ピロメリット酸等が挙げられる。これら３価以上の多価カルボン酸は、１種のみを単独で用いてもよいし、２種類以上を組み合わせて用いてもよい。
【０１３１】
［（Ｂ−ｂ）ジアミン単位］
（Ｂ）半芳香族ポリアミドを構成する（Ｂ−ｂ）ジアミン単位は、特に限定されず、例えば、芳香族ジアミン単位、脂肪族ジアミン単位、脂環族ジアミン単位等が挙げられる。中でも、（Ｂ）半芳香族ポリアミドを構成する（Ｂ−ｂ）ジアミン単位としては、炭素数４以上１０以下のジアミン単位を含むことが好ましく、炭素数６以上１０以下のジアミン単位を含むことがより好ましい。
【０１３２】
（脂肪族ジアミン単位）
脂肪族ジアミン単位を構成する脂肪族ジアミンとしては、例えば、炭素数４以上２０以下の直鎖状飽和脂肪族ジアミン等が挙げられる。
【０１３３】
炭素数４以上２０以下の直鎖状飽和脂肪族ジアミンとしては、以下に限定されるものではないが、例えば、エチレンジアミン、プロピレンジアミン、テトラメチレンジアミン、ペンタメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、トリデカメチレンジアミン等が挙げられる。
【０１３４】
（脂環族ジアミン単位）
脂環族ジアミン単位を構成する脂環族ジアミン（以下、「脂環式ジアミン」とも称する場合がある）としては、以下に限定されるものではないが、例えば、１，４−シクロヘキサンジアミン、１，３−シクロヘキサンジアミン、１，３−シクロペンタンジアミン等が挙げられる。
【０１３５】
（芳香族ジアミン単位）
芳香族ジアミン単位を構成する芳香族ジアミンとしては、芳香族を含有するジアミンであれば以下に限定されるものではない。芳香族ジアミンとして具体的には、例えば、メタキシリレンジアミン等が挙げられる。
【０１３６】
なお、これら各ジアミン単位を構成するジアミンは、１種のみを単独で用いてもよいし、２種類以上を組み合わせて用いてもよい。
【０１３７】
中でも、（Ｂ−ｂ）ジアミン単位としては、脂肪族ジアミン単位が好ましく、炭素数４以上１０以下の直鎖状飽和脂肪族ジアミン単位がより好ましく、炭素数６以上１０以下の直鎖状飽和脂肪族ジアミン単位がさらに好ましく、ヘキサメチレンジアミン単位が特に好ましい。
【０１３８】
このようなジアミンを用いることにより、機械的性質、特に吸水剛性、熱時剛性、流動性等を同時に満足できるポリアミド組成物が得られる傾向にある。また、ポリアミド組成物から得られる成形品について、表面外観性がより優れる傾向にある。
【０１３９】
本実施形態のポリアミド組成物に含まれる（Ｂ）半芳香族ポリアミドとしては、ポリアミド６Ｉ（ポリヘキサメチレンイソフタルアミド）、ポリアミド９Ｉ、又は、ポリアミド１０Ｉが好ましく、ポリアミド６Ｉがより好ましい。ポリアミド６Ｉは、耐熱性、成形加工性及び難燃性に優れていることから、自動車用部品に適した材料と考えられる。
【０１４０】
本実施形態のポリアミド組成物中の（Ｂ）半芳香族ポリアミドの含有量は、ポリアミド組成物中のポリアミドの総質量に対して、５．０質量％以上５０．０質量％以下とすることができ、１０．０質量％以上５０質量％以下が好ましく、１５．０質量％以上５０質量％以下がより好ましく、２０．０質量％以上５０質量％以下がさらに好ましく、３０質量％以上５０質量％以下が特に好ましく、３０質量％以上４５質量％以下が最も好ましい。
【０１４１】
（Ｂ）半芳香族ポリアミドの含有量を上記範囲とすることで、ポリアミド組成物から得られる成形品の機械的性質がより優れる。また、（Ｇ）充填材に代表される成分を含有させることで、ポリアミド組成物から得られる成形品の表面外観がより優れたものとなる。
【０１４２】
＜末端封止剤＞
本実施形態のポリアミド組成物に含まれるポリアミド（（Ａ）脂肪族ポリアミド及び（Ｂ）半芳香族ポリアミド）の末端は、公知の末端封止剤により末端封止されていてもよい。
【０１４３】
このような末端封止剤は、上記ジカルボン酸と上記ジアミンとから、又は、上記ラクタム及び上記アミノカルボン酸からなる群より選ばれる少なくとも１種から、ポリアミドを製造する際に、分子量調節剤としても添加することができる。
【０１４４】
末端封止剤としては、以下に限定されるものではないが、例えば、モノカルボン酸、モノアミン、酸無水物（無水フタル酸等）、モノイソシアネート、モノ酸ハロゲン化物、モノエステル類、モノアルコール類等が挙げられる。
【０１４５】
中でも、末端封止剤としては、モノカルボン酸、又は、モノアミンが好ましい。ポリアミドの末端が末端封止剤で封鎖されていることにより、ポリアミド組成物から得られる成形品の熱安定性がより優れる傾向にある。
【０１４６】
末端封止剤は、１種のみを単独で用いてもよいし、２種類以上を組み合わせて用いてもよい。
【０１４７】
末端封止剤として使用できるモノカルボン酸としては、ポリアミドの末端に存在し得るアミノ基との反応性を有するものであればよい。モノカルボン酸としては、以下に限定されるものではないが、例えば、脂肪族モノカルボン酸、脂環族モノカルボン酸、芳香族モノカルボン酸等が挙げられる。
【０１４８】
脂肪族モノカルボン酸としては、例えば、ギ酸、酢酸、プロピオン酸、酪酸、吉草酸、カプロン酸、カプリル酸、ラウリン酸、トリデシル酸、ミリスチル酸、パルミチン酸、ステアリン酸、ピバリン酸、イソブチル酸等が挙げられる。
【０１４９】
脂環族モノカルボン酸としては、例えば、シクロヘキサンカルボン酸等が挙げられる。
【０１５０】
芳香族モノカルボン酸としては、例えば、安息香酸、トルイル酸、α−ナフタレンカルボン酸、β−ナフタレンカルボン酸、メチルナフタレンカルボン酸、フェニル酢酸等が挙げられる。
【０１５１】
これらモノカルボン酸は、１種のみを単独で用いてもよいし、２種類以上を組み合わせて用いてもよい。
【０１５２】
特に、（Ｂ）半芳香族ポリアミドの末端は、流動性及び機械的強度の観点から、酢酸によって封止されていることが好ましい。
【０１５３】
末端封止剤として使用できるモノアミンとしては、ポリアミドの末端に存在し得るカルボキシル基との反応性を有するものであればよい。モノアミンとしては、以下に限定されるものではないが、例えば、脂肪族モノアミン、脂環族モノアミン、芳香族モノアミン等が挙げられる。
【０１５４】
脂肪族モノアミンとしては、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミン等が挙げられる。
【０１５５】
脂環族モノアミンとしては、例えば、シクロヘキシルアミン、ジシクロヘキシルアミン等が挙げられる。
【０１５６】
芳香族モノアミンとしては、例えば、アニリン、トルイジン、ジフェニルアミン、ナフチルアミン等が挙げられる。
【０１５７】
これらモノアミンは、１種のみを単独で用いてもよいし、２種類以上を組み合わせて用いてもよい。
【０１５８】
末端封止剤により末端封止されたポリアミドを含有するポリアミド組成物は、耐熱性、流動性、靭性、低吸水性、及び、剛性により優れる傾向にある。
【０１５９】
＜（Ａ）脂肪族ポリアミド及び（Ｂ）半芳香族ポリアミドの製造方法＞
本実施形態のポリアミド組成物に含まれるポリアミド（（Ａ）脂肪族ポリアミド及び（Ｂ）半芳香族ポリアミド）を製造する際に、ジカルボン酸の添加量とジアミンの添加量とは、同モル量付近であることが好ましい。重合反応中のジアミンの反応系外への逃散分もモル比においては考慮して、ジカルボン酸全体のモル量１に対して、ジアミン全体のモル量は、０．９以上１．２以下が好ましく、０．９５以上１．１以下がより好ましく、０．９８以上１．０５以下がさらに好ましい。
【０１６０】
ポリアミドの製造方法としては、以下に限定されるものではないが、例えば、以下の（１）又は（２）の重合工程を含む。
（１）ジカルボン酸単位を構成するジカルボン酸と、ジアミン単位を構成するジアミンとの組み合わせを重合して重合体を得る工程。
８２）ラクタム単位を構成するラクタム、及び、アミノカルボン酸単位を構成するアミノカルボン酸からなる群より選ばれる１種以上を重合して重合体を得る工程。
【０１６１】
また、ポリアミドの製造方法としては、前記重合工程の後に、ポリアミドの重合度を上昇させる上昇工程を、更に含むことが好ましい。また、必要に応じて、前記重合工程及び前記上昇工程の後に、得られた重合体の末端を末端封止剤により封止する封止工程を含んでいてもよい。
【０１６２】
ポリアミドの具体的な製造方法としては、例えば、以下の１）〜４）に例示するように種々の方法が挙げられる。
【０１６３】
１）ジカルボン酸−ジアミン塩、ジカルボン酸とジアミンとの混合物、ラクタム、及び、アミノカルボン酸からなる群より選ばれる１種以上の水溶液又は水懸濁液を加熱し、溶融状態を維持したまま重合させる方法（以下、「熱溶融重合法」と称する場合がある）。
【０１６４】
２）熱溶融重合法で得られたポリアミドを融点以下の温度で固体状態を維持したまま重合度を上昇させる方法（以下、「熱溶融重合・固相重合法」と称する場合がある）。
【０１６５】
３）ジカルボン酸−ジアミン塩、ジカルボン酸とジアミンとの混合物、ラクタム、及び、アミノカルボン酸からなる群より選ばれる１種以上を、固体状態を維持したまま重合させる方法（以下、「固相重合法」と称する場合がある）。
【０１６６】
４）ジカルボン酸と等価なジカルボン酸ハライド成分と、ジアミン成分とを用いて重合させる方法（以下、「溶液法」と称する場合がある）。
【０１６７】
中でも、ポリアミドの具体的な製造方法としては、熱溶融重合法を含む製造方法が好ましい。また、熱溶融重合法によりポリアミドを製造する際には、重合が終了するまで、溶融状態を保持することが好ましい。溶融状態を保持するためには、ポリアミド組成物に適した重合条件で製造することが必要となる。重合条件としては、例えば、以下に示す条件等が挙げられる。まず、熱溶融重合法における重合圧力を１４ｋｇ／ｃｍ２以上２５ｋｇ／ｃｍ２以下（ゲージ圧）に制御し、加熱を続ける。次いで、槽内の圧力が大気圧（ゲージ圧は０ｋｇ／ｃｍ２）になるまで３０分以上かけながら降圧する。
【０１６８】
ポリアミドの製造方法において、重合形態としては、特に限定されず、バッチ式でもよく、連続式でもよい。
【０１６９】
ポリアミドの製造に用いる重合装置としては、特に限定されるものではなく、公知の装置を用いることができる。重合装置として具体的には、例えば、オートクレーブ型反応器、タンブラー型反応器、押出機型反応器（ニーダー等）等が挙げられる。
【０１７０】
以下、ポリアミドの製造方法として、バッチ式の熱溶融重合法によりポリアミドを製造する方法を具体的に示すが、ポリアミドの製造方法は、これに限定されない。
【０１７１】
まず、ポリアミドの原料成分（ジカルボン酸とジアミンとの組み合わせ、並びに、必要に応じて、ラクタム及びアミノカルボン酸からなる群より選ばれる少なくとも１種）を、約４０質量％以上６０質量％以下含有する水溶液を調製する。次いで、当該水溶液を１１０℃以上１８０℃以下の温度、及び。約０．０３５ＭＰａ以上０．６ＭＰａ以下（ゲージ圧）の圧力で操作される濃縮槽で、約６５質量％以上９０質量％以下に濃縮して濃縮溶液を得る。
【０１７２】
次いで、得られた濃縮溶液をオートクレーブに移し、オートクレーブにおける圧力が約１．２ＭＰａ以上２．２ＭＰａ以下（ゲージ圧）になるまで加熱を続ける。
【０１７３】
次いで、オートクレーブにおいて、水及びガス成分のうち少なくともいずれかを抜きながら圧力を約１．２ＭＰａ以上２．２ＭＰａ以下（ゲージ圧）に保つ。次いで、温度が約２２０℃以上２６０℃以下に達した時点で、大気圧まで降圧する（ゲージ圧は、０ＭＰａ）。オートクレーブ内の圧力を大気圧に降圧後、必要に応じて減圧することにより、副生する水を効果的に除くことができる。
【０１７４】
次いで、オートクレーブを窒素等の不活性ガスで加圧し、オートクレーブからポリアミド溶融物をストランドとして押し出す。押し出されたストランドを、冷却、カッティングすることにより、ポリアミドのペレットを得る。
【０１７５】
＜ポリアミドのポリマー末端＞
本実施形態のポリアミド組成物に含まれるポリアミド（（Ａ）脂肪族ポリアミド及び（Ｂ）半芳香族ポリアミド）のポリマー末端としては、特に限定されないが、以下の１）〜４）に分類され、定義することができる。
【０１７６】
すなわち、１）アミノ末端、２）カルボキシル末端、３）封止剤による末端、４）その他の末端である。
【０１７７】
１）アミノ末端は、アミノ基（−ＮＨ２基）を有するポリマー末端であり、ジアミン単位に由来する。
【０１７８】
２）カルボキシル末端は、カルボキシル基（−ＣＯＯＨ基）を有するポリマー末端であり、ジカルボン酸に由来する。
【０１７９】
３）封止剤による末端は、重合時に封止剤を添加した場合に形成される末端である。封止剤としては、上述した末端封止剤が挙げられる。
【０１８０】
４）その他の末端は、上述した１）〜３）に分類されないポリマー末端である。その他の末端として具体的には、アミノ末端が脱アンモニア反応して生成した末端、カルボキシル末端から脱炭酸反応して生成した末端等が挙げられる。
【０１８１】
＜ポリアミドの特性＞
［（Ａ）脂肪族ポリアミドの特性］
（Ａ）脂肪族ポリアミドの分子量、融点Ｔｍ２、結晶化エンタルピーΔＨ、及び、ｔａｎδピーク温度は、下記構成とすることができ、具体的には下記に示す方法により測定することができる。
【０１８２】
（（Ａ）脂肪族ポリアミドの重量平均分子量Ｍｗ（Ａ））
（Ａ）脂肪族ポリアミドの分子量の指標としては、重量平均分子量を利用できる。（Ａ）脂肪族ポリアミドの重量平均分子量（Ｍｗ（Ａ））は１００００以上５００００以下が好ましく、１５０００以上４５０００以下がより好ましく、２００００以上４００００以下がさらに好ましく、２５０００以上３５０００以下が特に好ましい。
【０１８３】
Ｍｗ（Ａ）が上記範囲であることにより、機械的性質、特に吸水剛性、熱時剛性、流動性等を同時に満足できるポリアミド組成物が得られる傾向にある。また、（Ｇ）充填材に代表される成分を含有させたポリアミド組成物から得られる成形品は、表面外観がより優れたものとなる。
【０１８４】
なお、（Ａ）脂肪族ポリアミドの重量平均分子量（Ｍｗ（Ａ））の測定は、ＧＰＣを用いて測定することができる。
【０１８５】
（（Ａ）脂肪族ポリアミドの分子量分布）
（Ａ）脂肪族ポリアミドの分子量分布は、（Ａ）脂肪族ポリアミドの重量平均分子量（Ｍｗ（Ａ））／（Ａ）脂肪族ポリアミドの数平均分子量（Ｍｎ（Ａ））を指標とする。
【０１８６】
Ｍｗ（Ａ）／Ｍｎ（Ａ）は１．０以上であり、１．８以上２．２以下が好ましく、１．９以上２．１以下がより好ましい。
【０１８７】
Ｍｗ（Ａ）／Ｍｎ（Ａ）が上記範囲であることにより、流動性等に優れるポリアミド組成物が得られる。また、（Ｇ）充填材に代表される成分を含有させたポリアミド組成物から得られる成形品は、表面外観がより優れたものとなる。
【０１８８】
Ｍｗ（Ａ）／Ｍｎ（Ａ）を上記範囲内に制御する方法としては、例えば、以下の１）又は２）に示す方法等が挙げられる。
【０１８９】
１）ポリアミドの熱溶融重合時の添加物としてリン酸や次亜リン酸ナトリウムのような公知の重縮合触媒を加える方法。
【０１９０】
２）上記１）の方法に加えて、加熱条件や減圧条件のような重合条件を制御する方法。
【０１９１】
なお、（Ａ）脂肪族ポリアミドの分子量分布は、（Ａ）脂肪族ポリアミドの重量平均分子量（Ｍｗ（Ａ））／（Ａ）脂肪族ポリアミドの数平均分子量（Ｍｎ（Ａ））の測定は、ＧＰＣを用いて得られたＭｗ（Ａ）、Ｍｎ（Ａ）を使用して計算することができる。
【０１９２】
（（Ａ）脂肪族ポリアミドの融点Ｔｍ２）
（Ａ）脂肪族ポリアミドの融点Ｔｍ２の下限値は、２２０℃が好ましく、２３０℃がより好ましく、２４０℃がさらに好ましい。
【０１９３】
また、（Ａ）脂肪族ポリアミドの融点Ｔｍ２の上限値は、３００℃が好ましく、２９０℃がより好ましく、２８０℃がさらに好ましく、２７０℃が特に好ましい。
【０１９４】
すなわち、（Ａ）脂肪族ポリアミドの融点Ｔｍ２は、２２０℃以上３００℃以下が好ましく、２３０℃以上２９０℃以下がより好ましく、２４０℃以上２８０℃以下がさらに好ましく、２４０℃以上２７０℃以下が特に好ましい。
【０１９５】
（Ａ）脂肪族ポリアミドの融点Ｔｍ２が上記下限値以上であることにより、ポリアミド組成物から得られる成形品の熱時剛性等がより優れる傾向にある。一方、（Ａ）脂肪族ポリアミドの融点Ｔｍ２が上記上限値以下であることにより、押出、成形等の溶融加工におけるポリアミド組成物の熱分解等をより抑制することができる傾向にある。
【０１９６】
（（Ａ）脂肪族ポリアミドの結晶化エンタルピーΔＨ）
（Ａ）脂肪族ポリアミドの結晶化エンタルピーΔＨの下限値は、機械的性質、特に吸水剛性、熱時剛性の観点から、３０Ｊ／ｇが好ましく、４０Ｊ／ｇがより好ましく、５０Ｊ／ｇがさらに好ましく、６０Ｊ／ｇが特に好ましい。一方、（Ａ）脂肪族ポリアミドの結晶化エンタルピーΔＨの上限値は、特に限定されず、高いほど好ましい。
【０１９７】
（Ａ）脂肪族ポリアミドの融点Ｔｍ２及び結晶化エンタルピーΔＨの測定装置としては、例えば、ＰＥＲＫＩＮ−ＥＬＭＥＲ社製のＤｉａｍｏｎｄ−ＤＳＣ等が挙げられる。
【０１９８】
（（Ａ）脂肪族ポリアミドのｔａｎδピーク温度）
（Ａ）脂肪族ポリアミドのｔａｎδピーク温度は、４０℃以上が好ましく、５０℃以上１１０℃以下がより好ましく、６０℃以上１００℃以下がさらに好ましく、７０℃以上９５℃以下が特に好ましく、８０℃以上９０℃以下が最も好ましい。
【０１９９】
（Ａ）脂肪族ポリアミドのｔａｎδピーク温度が４０℃以上であることにより、ポリアミド組成物から得られる成形品の吸水剛性、熱時剛性がより優れる傾向にある。
【０２００】
（Ａ）脂肪族ポリアミドのｔａｎδピーク温度は、粘弾性測定解析装置等（レオロジ製：ＤＶＥ−Ｖ４）を用いて測定することができる。
【０２０１】
［（Ｂ）半芳香族ポリアミドの特性］
（Ｂ）半芳香族ポリアミドの分子量、ギ酸相対粘度（ＶＲ（Ｂ））、融点Ｔｍ２、結晶化エンタルピーΔＨ、ｔａｎδピーク温度、アミノ末端量及びカルボキシ末端量は、下記構成とすることができ、具体的には下記に示す方法により測定することができる。
【０２０２】
（（Ｂ）半芳香族ポリアミドの重量平均分子量Ｍｗ（Ｂ））
（Ｂ）半芳香族ポリアミドの分子量の指標としては、（Ｂ）半芳香族ポリアミドの重量平均分子量（Ｍｗ（Ｂ））を利用できる。
【０２０３】
（Ｂ）半芳香族ポリアミドの重量平均分子量（Ｍｗ（Ｂ））は、１００００以上５００００以下が好ましく、１３０００以上４００００以下がより好ましく、１５０００以上２５０００以下がさらに好ましく、１８０００以上２２０００以下が特に好ましく、１９０００以上２１０００以下が最も好ましい。
【０２０４】
（Ｂ）半芳香族ポリアミドの重量平均分子量（Ｍｗ（Ｂ））が上記範囲であることにより、機械的性質、特に吸水剛性、熱時剛性、流動性等により優れるポリアミド組成物が得られる。また、（Ｇ）充填材に代表される成分を含有させたポリアミド組成物から得られる成形品は、表面外観がより優れたものとなる。
【０２０５】
なお、（Ｂ）半芳香族ポリアミドの重量平均分子量（Ｍｗ（Ｂ））の測定は、ＧＰＣを用いて測定することができる。
【０２０６】
（（Ｂ）半芳香族ポリアミドの分子量分布）
（Ｂ）半芳香族ポリアミドの分子量分布は、（Ｂ）半芳香族ポリアミドの重量平均分子量（Ｍｗ（Ｂ））／（Ｂ）半芳香族ポリアミドの数平均分子量（Ｍｎ（Ｂ））を指標とする。
【０２０７】
Ｍｗ（Ｂ）／Ｍｎ（Ｂ）は２．４以下であり、１．０以上２．４以下が好ましく、１．７以上２．４以下がより好ましく、１．８以上２．３以下がさらに好ましく、１．９以上２．２以下が特に好ましく、１．９以上２．１以下が最も好ましい。
【０２０８】
Ｍｗ（Ｂ）／Ｍｎ（Ｂ）が上記範囲であることにより、流動性等により優れるポリアミド組成物が得られる。また、（Ｇ）充填材に代表される成分を含有させたポリアミド組成物から得られる成形品は、表面外観がより優れたものとなる。
【０２０９】
Ｍｗ（Ｂ）／Ｍｎ（Ｂ）を上記範囲内に制御する方法としては、例えば、以下の１）又は２）に示す方法等が挙げられる。
【０２１０】
１）ポリアミドの熱溶融重合時の添加物としてリン酸や次亜リン酸ナトリウムのような公知の重縮合触媒を加える方法。
【０２１１】
２）上記１）の方法に加えて、加熱条件や減圧条件のような重合条件を制御し、できるだけ低温で且つ短時間で重縮合反応を完了させる方法。
【０２１２】
特に、（Ｂ）半芳香族ポリアミドが非晶性ポリアミドであれば、融点を持たないため、反応温度を低くすることができ望ましい。
【０２１３】
ポリアミドの分子構造中に芳香族化合物単位を含有していると、高分子量化に伴い、分子量分布（Ｍｗ／Ｍｎ）が高くなる傾向がある。分子量分布が高いことは分子の三次元構造を有するポリアミド分子の割合が高いことを示す。よって、Ｍｗ（Ｂ）／Ｍｎ（Ｂ）を上記範囲内に制御することで、高温加工時において分子の三次元構造化の進行を抑制し、流動性等により優れるポリアミド組成物が得られる。また、（Ｇ）充填材に代表される成分を含有させたポリアミド組成物から得られる成形品の表面外観がより優れたものとなる。
【０２１４】
なお、Ｍｗ（Ｂ）／Ｍｎ（Ｂ）の測定は、ＧＰＣを用いて得られたＭｗ（Ｂ）、Ｍｎ（Ｂ）を使用して計算することができる。
【０２１５】
（（Ｂ）半芳香族ポリアミドのギ酸相対粘度（ＶＲ（Ｂ）））
本明細書において、（Ｂ）半芳香族ポリアミドのギ酸相対粘度（ＶＲ）は、（Ｂ）半芳香族ポリアミドのギ酸溶液の相対粘度であり、（Ｂ）半芳香族ポリアミドのギ酸溶液が有する粘度とギ酸自身が有する粘度とを比較した相対粘度ということができる。
【０２１６】
本明細書では、上記ＶＲ（Ｂ）を（Ｂ）半芳香族ポリアミドの分子量と流動性との指標としており、ＶＲ（Ｂ）の数値が高いほど、高分子量であり低流動であるものと評価される。
【０２１７】
ＶＲ（Ｂ）を測定する際には、ＡＳＴＭ−Ｄ７８９に準拠して実施する。具体的には、９０質量％ギ酸（水１０質量％）に（Ｂ）半芳香族ポリアミドを８．４質量％になるように溶解させた溶液を用いて、２５℃で測定した値をＶＲ（Ｂ）値として採用することができる。
【０２１８】
（Ｂ）半芳香族ポリアミドのＶＲ（Ｂ）は８以上３０以下が好ましく、８以上２５以下がより好ましく、１０以上２５以下がさらに好ましく、１０以上２０以下が特に好ましい。
【０２１９】
（Ｂ）半芳香族ポリアミドのＶＲ（Ｂ）が上記下限値以上であることで、色調や機械的性質がより良好となる傾向にある。一方、（Ｂ）半芳香族ポリアミドのＶＲ（Ｂ）が上記上限値以下であることで、流動性がより良好となり、成形加工性がより良好となる傾向にある。
【０２２０】
（（Ｂ）半芳香族ポリアミドのＭｗ（Ｂ）／ＶＲ（Ｂ））
（Ｂ）半芳香族ポリアミドのＭｗ（Ｂ）／ＶＲ（Ｂ）は分子量と流動性との指標である。
【０２２１】
（Ｂ）半芳香族ポリアミドのＭｗ（Ｂ）／ＶＲ（Ｂ）は１０００以上２０００以下が好ましく、１２００以上２０００以下がより好ましく、１４００以上２０００以下がさらに好ましく、１５００以上２０００以下が特に好ましく、１５００以上１８００以下が最も好ましい。
【０２２２】
Ｍｗ（Ｂ）／ＶＲ（Ｂ）が上記下限値以上であることで、例えば、分子量が十分に高くなるため、機械的性質がより良好となる傾向にある。一方、Ｍｗ（Ｂ）／ＶＲ（Ｂ）が上記上限値以下であることで、例えば、ＶＲが十分に高くなるため、流動性が適切な範囲となり成形時にバリの発生、成形不良がより防止できる傾向にある。
【０２２３】
（（Ｂ）半芳香族ポリアミドの結晶化エンタルピーΔＨ）
（Ｂ）半芳香族ポリアミドの結晶化エンタルピーΔＨは、機械的性質、特に吸水剛性、熱時剛性の観点から、１５Ｊ／ｇ以下が好ましく、１０Ｊ／ｇ以下がより好ましく、５Ｊ／ｇ以下がさらに好ましく、０Ｊ／ｇが特に好ましい。
【０２２４】
（Ｂ）半芳香族ポリアミドの結晶化エンタルピーΔＨを上記範囲内に制御する方法としては、公知のポリアミドの結晶化度を小さくする方法をとることができ、特に限定されない。公知のポリアミドの結晶化度を小さくする方法として具体的には、例えば、ジカルボン酸単位に対するメタ位置換芳香族ジカルボン酸単位比率を高める方法、及び、ジアミン単位に対するメタ位置換芳香族ジアミン単位比率を高める方法が挙げられる。当該観点から、（Ｂ）半芳香族ポリアミドは、（Ｂ−ａ）ジカルボン酸単位として、（Ｂ）半芳香族ポリアミドを構成する全ジカルボン酸単位中、イソフタル酸を５０モル％以上含むことが好ましく、７５モル％含むことがより好ましく、１００モル％含むことがさらに好ましい。
【０２２５】
（Ｂ）半芳香族ポリアミドの結晶化エンタルピーΔＨの測定装置としては、例えば、ＰＥＲＫＩＮ−ＥＬＭＥＲ社製のＤｉａｍｏｎｄ−ＤＳＣ等が挙げられる。
【０２２６】
（（Ｂ）半芳香族ポリアミドのｔａｎδピーク温度）
（Ｂ）半芳香族ポリアミドのｔａｎδピーク温度は、７０℃以上が好ましく、１００℃以上１６０℃以下がより好ましく、１１０℃以上１５０℃以下がさらに好ましく、１２０℃以上１４５℃以下が特に好ましく、１３０℃以上１４０℃以下が最も好ましい。
【０２２７】
（Ｂ）半芳香族ポリアミドのｔａｎδピーク温度を上記範囲内に制御する方法としては、例えば、ジカルボン酸単位に対する芳香族モノマー比率を高める方法等が挙げられる。当該観点から、（Ｂ）半芳香族ポリアミドは、（Ｂ−ａ）ジカルボン酸単位として、（Ｂ）半芳香族ポリアミドを構成する全ジカルボン酸単位中、イソフタル酸を５０モル％以上含むことが好ましく、１００モル％含むことがより好ましい。
【０２２８】
（Ｂ）半芳香族ポリアミドのｔａｎδピーク温度が上記下限値以上であることにより、吸水剛性、熱時剛性により優れるポリアミド組成物を得ることができる傾向にある。また、ポリアミド組成物のｔａｎδピーク温度が上記上限値以下であることにより、（Ｇ）充填材に代表される成分を含有させたポリアミド組成物から得られる成形品の表面外観がより優れたものとなる。
【０２２９】
（Ｂ）半芳香族ポリアミドのｔａｎδピーク温度は、例えば、粘弾性測定解析装置等（レオロジ製：ＤＶＥ−Ｖ４）を用いて測定することができる。
【０２３０】
（（Ｂ）半芳香族ポリアミドのアミノ末端量）
（Ｂ）半芳香族ポリアミドのアミノ末端量は、（Ｂ）半芳香族ポリアミド１ｇに対して、５μｇ以上１００μｇ以下であり、１０μｇ以上９０μｇ以下が好ましく、２０μｇ以上８０μｇ以下がより好ましく、３０μｇ以上７０μｇ以下がさらに好ましく、４０μｇ以上６０μｇ以下が特に好ましい。
【０２３１】
（Ｂ）半芳香族ポリアミドのアミノ末端量が上記の範囲であることにより、熱や光に対する変色により優れたポリアミド組成物とすることができる。
【０２３２】
なお、アミノ末端量は、中和滴定により測定することができる。
【０２３３】
（（Ｂ）半芳香族ポリアミドのカルボキシル末端量）
（Ｂ）半芳香族ポリアミドのカルボキシル末端量は、（Ｂ）半芳香族ポリアミド１ｇに対して、５０μｇ以上３００μｇ以下であり、１００μｇ以上２８０μｇ以下が好ましく、１５０μｇ以上２６０μｇ以下がより好ましく、１８０μｇ以上２５０μｇ以下がさらに好ましく、１９０μｇ以上２４０μｇ以下が特に好ましい。
【０２３４】
（Ｂ）半芳香族ポリアミドのカルボキシル末端量が上記の範囲であることにより、流動性等により優れるポリアミド組成物が得られる。また、（Ｇ）充填材に代表される成分を含有させたポリアミド組成物から得られる成形品の表面外観がより優れたものとなる。
【０２３５】
なお、カルボキシル末端量は、中和滴定により測定することができる。
【０２３６】
［（Ａ）脂肪族ポリアミドの重量平均分子量Ｍｗ（Ａ）と（Ｂ）半芳香族ポリアミドの重量平均分子量Ｍｗ（Ｂ）との差｛Ｍｗ（Ａ）−Ｍｗ（Ｂ）｝］
（Ａ）脂肪族ポリアミドの重量平均分子量Ｍｗ（Ａ）と（Ｂ）半芳香族ポリアミドの重量平均分子量Ｍｗ（Ｂ）との差｛Ｍｗ（Ａ）−Ｍｗ（Ｂ）｝は１００００以上が好ましく、１１０００以上がより好ましく、１２０００以上がさらに好ましく、１３０００以上が特に好ましく、１４０００以上が最も好ましい。
【０２３７】
｛Ｍｗ（Ａ）−Ｍｗ（Ｂ）｝が、上記下限値以上であることにより、（Ｂ）半芳香族ポリアミドがミクロサイズドメインを形成し、吸水剛性、熱時剛性により優れる組成物とすることができる。
【０２３８】
［ポリアミドのアミノ末端量とカルボキシル末端量の合計量］
ポリアミド（（Ａ）脂肪族ポリアミド及び（Ｂ）半芳香族ポリアミド）のアミノ末端量とカルボキシル末端量との合計量は、ポリアミド１ｇに対して、１５０μｇ以上３５０μｇ以下であり、１６０μｇ以上３３０μｇ以下が好ましく、１７０μｇ以上３２０μｇ以下がより好ましく、１８０μｇ以上３００μｇ以下がさらに好ましく、１９０μｇ以上２８０μｇ以下が特に好ましい。
【０２３９】
ポリアミド（（Ａ）脂肪族ポリアミド及び（Ｂ）半芳香族ポリアミド）のアミノ末端量とカルボキシル末端量の合計量が上記の範囲であることにより、流動性等により優れるポリアミド組成物が得られる。また、（Ｇ）充填材に代表される成分を含有させたポリアミド組成物から得られる成形品の表面外観がより優れたものとなる。
【０２４０】
＜（Ｃ１）難燃剤＞
本実施形態のポリアミド組成物に含まれる（Ｃ１）難燃剤としては、ハロゲン元素を含む難燃剤であれば、特に限定されるものではない。（Ｃ１）難燃剤としては、例えば、塩素系難燃剤や臭素系難燃剤等が挙げられる。
【０２４１】
これら（Ｃ１）難燃剤は１種類を単独で用いてもよいし、２種類以上を組み合わせて用いてもよい。
【０２４２】
塩素系難燃剤としては、例えば、塩素化パラフィン、塩素化ポリエチレン、ドデカクロロペンタシクロオクタデカ−７，１５−ジエン（オキシデンタルケミカル製 デクロランプラス２５＜登録商標＞）、無水ヘット酸等が挙げられる。
【０２４３】
臭素系難燃剤としては、例えば、ヘキサブロモシクロドデカン（ＨＢＣＤ）、デカブロモジフェニルオキサイド（ＤＢＤＰＯ）、オクタブロモジフェニルオキサイド、テトラブロモビスフェノールＡ（ＴＢＢＡ）、ビス（トリブロモフェノキシ）エタン、ビス（ペンタブロモフェノキシ）エタン（ＢＰＢＰＥ）、テトラブロモビスフェノールＡエポキシ樹脂（ＴＢＢＡエポキシ）、テトラブロモビスフェノールＡカーボネート（ＴＢＢＡ−ＰＣ）、エチレン（ビステトラブロモフタル）イミド（ＥＢＴＢＰＩ）、エチレンビスペンタブロモジフェニル、トリス（トリブロモフェノキシ）トリアジン（ＴＴＢＰＴＡ）、ビス（ジブロモプロピル）テトラブロモビスフェノールＡ（ＤＢＰ−ＴＢＢＡ）、ビス（ジブロモプロピル）テトラブロモビスフェノールＳ（ＤＢＰ−ＴＢＢＳ）、臭素化ポリフェニレンエーテル（ポリ（ジ）ブロモフェニレンエーテル等を含む）（ＢｒＰＰＥ）、臭素化ポリスチレン（ポリジブロモスチレン、ポリトリブロモスチレン、架橋臭素化ポリスチレン等を含む）（ＢｒＰＳ）、臭素化架橋芳香族重合体、臭素化エポキシ樹脂、臭素化フェノキシ樹脂、臭素化スチレン−無水マレイン酸重合体、テトラブロモビスフェノールＳ（ＴＢＢＳ）、トリス（トリブロモネオペンチル）ホスフェート（ＴＴＢＮＰＰ）、ポリブロモトリメチルフェニルインダン（ＰＢＰＩ）、トリス（ジブロモプロピル）−イソシアヌレート（ＴＤＢＰＩＣ）等が挙げられる。
【０２４４】
中でも、（Ｃ１）難燃剤としては、押出や成形等の溶融加工時の腐食性ガスの発生量を抑制するという観点や、さらには難燃性の発現、靭性及び剛性等の機械物性の観点で、臭素化ポリフェニレンエーテル（ポリ（ジ）ブロモフェニレンエーテル等を含む）、又は、臭素化ポリスチレン（ポリジブロモスチレン、ポリトリブロモスチレン、架橋臭素化ポリスチレン等を含む）が好ましく、臭素化ポリスチレンがより好ましい。
【０２４５】
臭素化ポリスチレンの製造方法としては、特に限定されるものではなく、例えば、以下の１）又は２）の製造方法等が挙げられる。
【０２４６】
１）スチレン単量体を重合してポリスチレンを製造した後、ポリスチレンのベンゼン環を臭素化する方法。
【０２４７】
２）臭素化スチレン単量体（ブロモスチレン、ジブロモスチレン、トリブロモスチレン等）を重合することにより製造する方法。
【０２４８】
臭素化ポリスチレン中の臭素含有量は５５質量％以上７５質量％以下が好ましい。
【０２４９】
臭素含有量を上記下限値以上とすることにより、少ない臭素化ポリスチレンの配合量で難燃化に必要な臭素量を満足させることができる。また、ポリアミド共重合体の有する性質を損なうことなく、耐熱性、流動性、靭性、低吸水性、及び、剛性により優れ、且つ、難燃性により優れるポリアミド組成物を得ることができる。
【０２５０】
一方、臭素含有量を上記上限値以下とすることにより、押出や成形等の溶融加工時において熱分解をより効果的に抑制し、ガス発生等をより効果的に抑制することができる。また、耐熱変色性により優れるポリアミド組成物を得ることができる。
【０２５１】
＜（Ｃ２）難燃助剤＞
本実施形態のポリアミド組成物は、（Ｃ２）難燃助剤を含有することにより、難燃性により優れるポリアミド組成物とすることができる。
【０２５２】
本実施形態のポリアミド組成物に含まれる（Ｃ２）難燃助剤としては、特に限定されるものではなく、例えば、酸化アンチモン類、酸化スズ類、酸化鉄類、その他の金属酸化物、金属水酸化物、金属粉末、金属炭酸塩、金属ホウ酸塩、シリコーン等が挙げられる。
【０２５３】
酸化アンチモン類としては、例えば、三酸化二アンチモン（Ｓｂ２Ｏ３）、四酸化二アンチモン、五酸化二アンチモン、アンチモン酸ナトリウム等が挙げられる。
【０２５４】
酸化スズ類としては、例えば、一酸化スズ、二酸化スズ等が挙げられる。
【０２５５】
酸化鉄類としては、例えば、酸化第二鉄、γ酸化鉄等が挙げられる。
【０２５６】
その他の金属酸化物としては、例えば、酸化亜鉛、ホウ酸亜鉛、酸化カルシウム、酸化アルミニウム（アルミナ）、酸化アルミニウム（ベーマイト）、酸化ケイ素（シリカ）、酸化チタン、酸化ジルコニウム、酸化マンガン、酸化モリブデン、酸化コバルト、酸化ビスマス、酸化クロム、酸化ニッケル、酸化銅、酸化タングステン等が挙げられる。
【０２５７】
金属水酸化物としては、例えば、水酸化マグネシウム、水酸化アルミニウム等が挙げられる。
【０２５８】
金属粉末としては、例えば、アルミニウム、鉄、チタン、マンガン、亜鉛、モリブデン、コバルト、ビスマス、クロム、スズ、アンチモン、ニッケル、銅、タングステン等が挙げられる。
【０２５９】
金属炭酸塩としては、例えば、炭酸亜鉛、炭酸カルシウム、炭酸マグネシウム、炭酸バリウム等が挙げられる。
【０２６０】
金属ホウ酸塩としては、例えば、ホウ酸マグネシウム、ホウ酸カルシウム、ホウ酸アルミニウム等が挙げられる。
【０２６１】
これら（Ｃ２）難燃助剤は１種類を単独で用いてもよいし、２種類以上を組み合わせて用いてもよい。
【０２６２】
中でも、本実施形態のポリアミド組成物に含まれる（Ｃ２）難燃助剤としては、難燃性効果の点から、酸化アンチモン類、酸化スズ類、酸化鉄類、金属水酸化物、酸化亜鉛、又は、ホウ酸亜鉛が好ましく、酸化アンチモン類、水酸化マグネシウム、又は、ホウ酸亜鉛がより好ましく、酸化アンチモン類又は水酸化マグネシウムがさらに好ましく、三酸化二アンチモン又は水酸化マグネシウムが特に好ましい。
【０２６３】
難燃効果を上げる観点から、（Ｃ２）難燃助剤の平均粒径が０．０１μｍ以上１０μｍ以下であることが好ましい。
【０２６４】
平均粒径は、レーザー回折散乱法粒度分布測定装置や精密粒度分布測定装置を用いて測定することができる。
【０２６５】
＜（Ｄ）白色顔料＞
本実施形態のポリアミド組成物は、（Ｄ）白色顔料を含有する。
【０２６６】
白色顔料としては、特に限定されないが、例えば、硫化亜鉛、酸化亜鉛酸化チタン、硫酸バリウム、炭酸カルシウム、酸化アルミニウム、炭酸鉛、水酸化鉛、二酸化ケイ素等が挙げられる。
【０２６７】
中でも、ポリアミド組成物における、靭性、強度、及び、剛性等の機械物性、並びに、難燃性と着色とのバランスにより、硫化亜鉛（ＺｎＳ）及び酸化亜鉛（ＺｎＯ）から選ばれる少なくとも１つが好ましい。
【０２６８】
＜（Ｅ）紫外線吸収剤＞
本実施形態のポリアミド組成物は、（Ｅ）紫外線吸収剤を含有する。
【０２６９】
紫外線吸収剤としては、特に限定されないが、例えば、ベンゾトリアゾール系紫外線吸収剤、トリアジン系紫外線吸収剤、ベンゾフェノン系紫外線吸収剤、シアノアクリレート系紫外線吸収剤、サリシレート系紫外線吸収剤、オキザリニト系紫外線吸収剤等が挙げられる。
【０２７０】
中でも、ポリアミド組成物における、靭性、強度、及び、剛性等の機械物性、並びに難燃性と着色とのバランスにより、ベンゾトリアゾール系紫外線吸収剤及びトリアジン系紫外線吸収剤から選ばれる少なくとも１つが好ましい。
【０２７１】
＜（Ｆ）α，β不飽和ジカルボン酸無水物単位を含む重合体＞
本実施形態のポリアミド組成物は、上記（Ａ）〜（Ｅ）の各成分に加えて、（Ｆ）α，β不飽和ジカルボン酸無水物単位を含む重合体をさらに含有してもよい。（Ｆ）α，β不飽和ジカルボン酸無水物単位を含む重合体を含有することにより、靭性、剛性等の機械物性により優れるポリアミド組成物とすることができる。
【０２７２】
本実施形態のポリアミド組成物に含まれる（Ｆ）α，β不飽和ジカルボン酸無水物単位を含む重合体としては、例えば、α，β不飽和ジカルボン酸無水物を共重合成分として含む重合体やα，β不飽和ジカルボン酸無水物で変性された重合体等が挙げられる。
【０２７３】
α，β不飽和ジカルボン酸無水物としては、例えば、下記一般式（Ｉ）で表される化合物（以下、「化合物（Ｉ）」と称する場合がある）が挙げられる。
【０２７４】
【化１】
2019089905.tif 000002
【０２７５】
前記一般式（Ｉ）中、Ｒ１１及びＲ１２は、それぞれ独立して、水素原子又は炭素数１以上３以下のアルキル基である。Ｒ１１及びＲ１２は、互いに同一であってもよく、異なっていてもよい。中でも、製造が容易であることから、Ｒ１１及びＲ１２は、互いに同一であることが好ましい。
【０２７６】
Ｒ１１及びＲ１２における炭素数１以上３以下のアルキル基としては、例えば、メチル基、エチル基、プロピル基、イソプロピル基等が挙げられる。
【０２７７】
中でも、Ｒ１１及びＲ１２としては、水素原子又はメチル基が好ましく、水素原子がより好ましい。
【０２７８】
好ましい化合物（Ｉ）（α，β不飽和ジカルボン酸無水物）としては、例えば、無水マレイン酸、メチル無水マレイン酸等が挙げられる。中でも、化合物（Ｉ）（α，β不飽和ジカルボン酸無水物）としては、無水マレイン酸が好ましい。
【０２７９】
［芳香族ビニル化合物とα，β不飽和ジカルボン酸無水物との共重合体］
α，β不飽和ジカルボン酸無水物を共重合成分として含む重合体としては、難燃性を向上させる効率（添加量が少なくて発現する）の観点で、芳香族ビニル化合物とα，β不飽和ジカルボン酸無水物との共重合体が好ましい。
【０２８０】
芳香族ビニル化合物とα，β不飽和ジカルボン酸無水物との共重合体の製造に用いられる芳香族ビニル化合物としては、例えば、下記一般式（２）で表される化合物（以下、「化合物（ＩＩ）」と称する場合がある）が挙げられる。
【０２８１】
【化２】
2019089905.tif 000003
【０２８２】
前記一般式（ＩＩ）中、Ｒ２１は、水素又は炭素数１以上３以下のアルキル基である。Ｒ２２は、ベンゼン環の置換基である。Ｒ２２は、炭素数１以上３以下のアルキル基である。ｎ２１は０以上５以下の整数である。ｎ２１が０であるとき、ベンゼン環は無置換である。
【０２８３】
Ｒ２１及びＲ２２における炭素数１以上３以下のアルキル基としては、上記化合物（Ｉ）において例示されたものと同様のものが挙げられる。
【０２８４】
中でも、Ｒ２１は、水素原子又はメチル基が好ましい。また、Ｒ２２は、メチル基が好ましい。
【０２８５】
ｎ２１は、ベンゼン環の置換基であるＲ２２の数を表す。ｎ２１は０以上１以下の整数が好ましく、０がより好ましい。
【０２８６】
好ましい化合物（ＩＩ）（芳香族ビニル化合物）としては、例えば、スチレン、α−メチルスチレン、ｐ−メチルスチレン等が挙げられる。中でも、化合物（ＩＩ）（芳香族ビニル化合物）としては、スチレンが好ましい。
【０２８７】
（Ｆ）α，β不飽和ジカルボン酸無水物単位を含む重合体が、芳香族ビニル化合物単位を含む場合には、芳香族ビニル化合物単位が（Ｃ１）難燃剤（臭素化ポリスチレン等）と親和し、また、α，β不飽和ジカルボン酸無水物単位が（Ｂ）半芳香族ポリアミドと親和又は反応する。これにより、ポリアミドマトリックス中に（Ｃ１）難燃剤が分散するのを助け、難燃剤を微分散させることができると考えられる。
【０２８８】
芳香族ビニル化合物とα，β不飽和ジカルボン酸無水物との共重合体中における芳香族ビニル化合物単位、及び、α，β不飽和ジカルボン酸無水物単位の割合は、得られるポリアミド組成物の難燃性や流動性、耐熱分解性等の観点で、芳香族ビニル化合物単位が５０質量％以上９９質量％以下であり、α，β不飽和ジカルボン酸無水物単位が１質量％以上５０質量％以下であることが好ましい。また、芳香族ビニル化合物とα，β不飽和ジカルボン酸無水物との共重合体中におけるα，β不飽和ジカルボン酸無水物単位の割合は５質量％以上２０質量％以下であることがより好ましく、８質量％以上１５質量％以下がさらに好ましい。
【０２８９】
芳香族ビニル化合物とα，β不飽和ジカルボン酸無水物との共重合体中におけるα，β不飽和ジカルボン酸無水物単位の割合が上記下限値以上であることにより、靭性及び剛性等の機械物性、並びに、難燃性により優れるポリアミド組成物を得ることができる。一方、α，β不飽和ジカルボン酸無水物単位の割合が上記上限値以下であることにより、α，β不飽和ジカルボン酸無水物によるポリアミド組成物の劣化をより効果的に防止することができる。
【０２９０】
［α，β不飽和ジカルボン酸無水物で変性された重合体］
α，β不飽和ジカルボン酸無水物で変性された重合体としては、例えば、α，β不飽和ジカルボン酸無水物で変性されたポリフェニレンエーテルやポリプロピレン等が挙げられる。中でも、α，β不飽和ジカルボン酸無水物で変性された重合体としては、無水マレイン酸変性ポリフェニレンエーテルが好ましい。
【０２９１】
α，β不飽和ジカルボン酸無水物で変性された重合体の含有量はポリアミド組成物の総質量に対して、０．０５質量％以上５質量％以下であることが好ましい。
【０２９２】
＜（Ｇ）充填材＞
本実施形態のポリアミド組成物は、上記（Ａ）〜（Ｆ）の各成分に加えて、（Ｇ）充填材をさらに含有してもよい。（Ｇ）充填材を含有することにより、靭性及び剛性等の機械物性により優れるポリアミド組成物とすることができる。
【０２９３】
本実施形態のポリアミド組成物に含まれる（Ｇ）充填材としては、特に限定されるものではなく、例えば、ガラス繊維、炭素繊維、ケイ酸カルシウム繊維、チタン酸カリウム繊維、ホウ酸アルミニウム繊維、ガラスフレーク、タルク、カオリン、マイカ、ハイドロタルサイト、炭酸亜鉛、リン酸一水素カルシウム、ウォラストナイト、ゼオライト、ベーマイト、酸化マグネシウム、ケイ酸カルシウム、アルミノケイ酸ナトリウム、ケイ酸マグネシウム、ケッチェンブラック、アセチレンブラック、ファーネスブラック、カーボンナノチューブ、グラファイト、黄銅、銅、銀、アルミニウム、ニッケル、鉄、フッ化カルシウム、モンモリロナイト、膨潤性フッ素雲母、アパタイト等が挙げられる。
【０２９４】
これら（Ｇ）充填材は、１種類を単独で用いてもよいし、２種類以上を組み合わせて用いてもよい。
【０２９５】
中でも、（Ｇ）充填材としては、剛性及び強度等の観点で、ガラス繊維、炭素繊維、ガラスフレーク、タルク、カオリン、マイカ、リン酸一水素カルシウム、ウォラストナイト、カーボンナノチューブ、グラファイト、フッ化カルシウム、モンモリロナイト、膨潤性フッ素雲母、又は、アパタイトが好ましい。また、（Ｇ）充填材としては、ガラス繊維又は炭素繊維がより好ましい。ガラス繊維がさらに好ましい。
【０２９６】
（Ｇ）充填材がガラス繊維又は炭素繊維である場合、数平均繊維径（Ｄ）が３μｍ以上３０μｍ以下であることが好ましい。また、重量平均繊維長（Ｌ）が１００μｍ以上７５０μｍ以下であることが好ましい。さらに、重量平均繊維長（Ｌ）に対する数平均繊維径（Ｄ）のアスペクト比（（Ｌ）／（Ｄ））が１０以上１００以下であるものが好ましい。上記構成のガラス繊維又は炭素繊維を用いることで、より高い特性を発現することができる。
【０２９７】
また、（Ｇ）充填材がガラス繊維である場合、数平均繊維径（Ｄ）が３μｍ以上３０μｍ以下であることがより好ましい。重量平均繊維長（Ｌ）が１０３μｍ以上５００μｍ以下であることがより好ましい。さらに、アスペクト比（（Ｌ）／（Ｄ））が３以上１００以下であるものがより好ましい。
【０２９８】
（Ｇ）充填材の数平均繊維径及び重量平均繊維長は、以下の方法を用いて測定することができる。
まず、ポリアミド組成物の成形品を、ギ酸等の、ポリアミドが可溶な溶媒で溶解する。次いで、得られた不溶成分の中から、例えば１００本以上の充填材を任意に選択する。次いで、充填材を光学顕微鏡や走査型電子顕微鏡等で観察することで求めることができる。
【０２９９】
＜ポリアミド組成物中の（Ｃ１）〜（Ｇ）の含有量＞
［（Ｃ１）難燃剤の含有量］
本実施形態のポリアミド組成物中の（Ｃ１）難燃剤の含有量は、ポリアミド組成物の総質量に対して、０．１質量％以上３０質量％以下が好ましく、５質量％以上２０質量％以下がより好ましく、５質量％以上１５質量％以下がさらに好ましい。
【０３００】
（Ｃ１）難燃剤の含有量を上記下限値以上とすることにより、難燃性により優れるポリアミド組成物を得ることができる。一方、（Ｃ１）難燃剤の含有量を上記下限値以下とすることにより、溶融混練時に分解ガスの発生、成形加工時の流動性の低下や、成形金型に汚染性物質の付着をより効果的に抑制することができる。さらに、靭性及び剛性等の機械物性や成形品外観の低下もより効果的に抑制することができる。
【０３０１】
［（Ｃ２）難燃助剤の含有量］
本実施形態のポリアミド組成物中の（Ｃ２）難燃助剤の含有量は、ポリアミド組成物の総質量に対して、０．１質量％以上１０質量％が好ましく、１質量％以上１０質量％がより好ましい。
【０３０２】
（Ｃ２）難燃助剤の含有量を上記下限値以上とすることにより、難燃性により優れるポリアミド組成物を得ることができる。（Ｃ２）難燃助剤の含有量を上記上限値以下とすることにより、溶融加工時の粘度を適切な範囲に制御することができ、押出時のトルクの上昇、成形時の成形性の低下及び成形品外観の低下をより効果的に抑制することができる。また、靭性及び剛性等の機械物性に優れるポリアミドの性質を損なうことなく、靭性等により優れるポリアミド組成物を得ることができる。  
【０３０３】
［（Ｃ１）難燃剤及び（Ｃ２）難燃助剤の種類及び含有量］
本実施形態のポリアミド組成物に含まれる（Ｃ１）難燃剤及び（Ｃ２）難燃助剤の特に好ましい組み合わせとしては、（Ｃ１）難燃剤が臭素化ポリスチレンであり、臭素化ポリスチレンの含有量がポリアミド組成物の総質量に対して、６質量％以上１５質量％以下であり、且つ、（Ｃ２）難燃助剤が三酸化二アンチモン（Ｓｂ２Ｏ３）であり、三酸化二アンチモン（Ｓｂ２Ｏ３）の含有量がポリアミド組成物の総質量に対して、０．１質量％以上４質量％以下である。
【０３０４】
［（Ｄ）白色顔料の含有量］
本実施形態のポリアミド組成物中の（Ｄ）白色顔料の含有量は、ポリアミド組成物の総質量に対して、０．１質量％以上５質量％以下が好ましく、０．５質量％以上５質量％以下がより好ましい。
【０３０５】
（Ｄ）白色顔料の含有量が、上記範囲であることで、得られるポリアミド組成物の色調、及び、機械的性質（特に機械強度）がより良好となる傾向にある。
【０３０６】
［（Ｅ）紫外線吸収剤の含有量］
本実施形態のポリアミド組成物中の（Ｅ）紫外線吸収剤の含有量は、ポリアミド組成物の総質量に対して、０．１質量％以上５質量％以下が好ましく、０．３質量％以上３質量％以下がより好ましく、０．４質量％以上３質量％以下がさらに好ましく、０．５質量％以上３質量％以下が特に好ましい。
【０３０７】
特に、（Ｅ）紫外線吸収剤がベンゾトリアゾール系及びトリアジン系紫外線吸収からなる群より選ばれる少なくとも１つであり、且つ、（Ｅ）紫外線吸収剤の含有量が、ポリアミド組成物の総質量に対して、上記範囲であることにより、耐候変色性、及び、機械的性質（特に機械強度）により優れたポリアミド組成物を得ることができる。
【０３０８】
［（Ｆ）α，β不飽和ジカルボン酸無水物単位を含む重合体の含有量］
ポリアミド組成物中の（Ｆ）α，β不飽和ジカルボン酸無水物単位を含む重合体の含有量は、ポリアミド組成物の総質量に対して、０．１質量％以上２０質量％以下が好ましく、０．５質量％以上２０質量％以下がより好ましく、１質量％以上１５質量％以下がさらに好ましく、１質量％以上１０質量％以下が特に好ましい。
【０３０９】
（Ｆ）α，β不飽和ジカルボン酸無水物単位を含む重合体の含有量が上記下限値以上であることにより、相溶化によるポリアミド組成物中での（Ｃ１）難燃剤の微分散効果をより高めることができる。また、難燃性や強度の向上効果により優れるポリアミド組成物を得ることができる傾向にある。また、（Ｆ）α，β不飽和ジカルボン酸無水物単位を含む重合体の含有量が上記上限値以下であることにより、機械物性（特に、靭性、剛性）等のポリアミドの性質を損なうことなく、強度等により優れるポリアミド組成物を得ることできる傾向にある。
【０３１０】
［（Ｇ）充填材の含有量］
ポリアミド組成物中の（Ｇ）充填材の含有量は、ポリアミド組成物の総質量に対して、１質量％以上８０質量％以下が好ましく、１０質量％以上７０質量％以下がより好ましく、３０質量％以上７０質量％以下がさらに好ましく、３０質量％以上６０質量％以下が特に好ましく、４０質量％以上６０質量％以下が最も好ましい。
【０３１１】
（Ｇ）充填材の含有量が上記下限値以上であることにより、ポリアミド組成物の強度及び剛性等の機械物性がより向上する傾向にある。一方、（Ｇ）充填材の含有量が上記上限値以下であることにより、より成形性に優れるポリアミド組成物を得ることができる傾向にある。
【０３１２】
特に、（Ｇ）充填材がガラス繊維であり、且つ、（Ｇ）充填材の含有量が、ポリアミド組成物の総質量に対して、上記範囲であることにより、ポリアミド組成物の強度及び剛性等の機械物性がさらに向上する傾向にある。
【０３１３】
［（Ｃ１）〜（Ｇ）の成分の合計含有量］
本実施形態のポリアミド組成物中の（Ｃ１）難燃剤、（Ｃ２）難燃助剤、（Ｄ）白色顔料、（Ｅ）紫外線吸収剤、（Ｆ）α，β不飽和ジカルボン酸無水物単位を含む重合体、及び、（Ｇ）充填材、の合計含有量は、ポリアミド組成物の総質量に対して、１０質量％以上９０質量％以下が好ましく、３０質量％以上８０質量％以下がより好ましく、４０質量％以上７５質量％以下がさらに好ましい。本実施形態のポリアミド組成物中の上記（Ｃ１）〜（Ｇ）の成分の合計含有量が上記下限値以上であることにより、強度、剛性及び難燃性等により優れるポリアミド組成物を得ることができる。また、適正な溶融粘度を有し、加工性により優れるポリアミド組成物を得ることができる。
【０３１４】
＜（Ｈ）その他添加剤＞
本実施形態のポリアミド組成物には、上記（Ａ）〜（Ｇ）の各成分に加えて、本実施形態のポリアミド組成物の効果を損なわない範囲で、ポリアミドに慣用的に用いられる（Ｈ）その他添加剤を含有させることもできる。（Ｈ）その他添加剤としては、例えば、（Ｈ１）成形性改良剤及び潤滑材、（Ｈ２）劣化抑制剤、（Ｈ３）造核剤、（Ｈ４）熱安定剤、（Ｈ５）上記（Ａ）脂肪族ポリアミド及び（Ｂ）半芳香族ポリアミド以外のその他樹脂等が挙げられる。
【０３１５】
本実施形態のポリアミド組成物中の（Ｈ）その他添加剤の含有量は、その種類やポリアミド組成物の用途等によって様々であるため、本実施形態のポリアミド組成物の効果を損なわない範囲であれば特に制限されることはない。
【０３１６】
［（Ｈ１）成形性改良剤及び潤滑材］
本実施形態のポリアミド組成物に含まれる（Ｈ１）成形性改良剤及び潤滑材としては、特に限定されないが、例えば、高級脂肪酸、高級脂肪酸金属塩、高級脂肪酸エステル、高級脂肪酸アミド等が挙げられる。
【０３１７】
（高級脂肪酸）
高級脂肪酸としては、例えば、炭素数８以上４０以下の直鎖状又は分岐鎖状の、飽和又は不飽和脂肪族モノカルボン酸等が挙げられる。
【０３１８】
炭素数８以上４０以下の直鎖状又は分岐鎖状の、飽和又は不飽和脂肪族モノカルボン酸としては、例えば、ラウリン酸、パルミチン酸、ステアリン酸、ベヘン酸、モンタン酸等が挙げられる。
【０３１９】
炭素数８以上４０以下の分岐鎖状飽和脂肪族モノカルボン酸としては、例えば、イソパルミチン酸、イソステアリン酸等が挙げられる。
【０３２０】
炭素数８以上４０以下の直鎖状不飽和脂肪族モノカルボン酸としては、例えば、オレイン酸、エルカ酸等が挙げられる。
【０３２１】
炭素数８以上４０以下の分岐鎖状不飽和脂肪族モノカルボン酸としては、例えば、イソオレイン酸等が挙げられる。
【０３２２】
中でも、高級脂肪酸としては、ステアリン酸又はモンタン酸が好ましい。
【０３２３】
（高級脂肪酸金属塩）
高級脂肪酸金属塩とは、高級脂肪酸の金属塩である。
【０３２４】
金属塩の金属元素としては、例えば、元素周期律表の第１族元素、第２族元素及び第３族元素、亜鉛、アルミニウム等が挙げられる。
【０３２５】
元素周期律表の第１族元素としては、例えば、ナトリウム、カリウム等が挙げられる。
【０３２６】
元素周期律表の第２族元素としては、例えば、カルシウム、マグネシウム等が挙げられる。
【０３２７】
元素周期律表の第３族元素としては、例えば、スカンジウム、イットリウム等が挙げられる。
【０３２８】
中でも、元素周期律表の第１及び２族元素、又は、アルミニウムが好ましく、ナトリウム、カリウム、カルシウム、マグネシウム、又は、アルミニウムがより好ましい。
【０３２９】
高級脂肪酸金属塩として具体的には、例えば、ステアリン酸カルシウム、ステアリン酸アルミニウム、ステアリン酸亜鉛、ステアリン酸マグネシウム、モンタン酸カルシウム、モンタン酸ナトリウム、パルミチン酸カルシウム等が挙げられる。
【０３３０】
中でも、高級脂肪酸金属塩としては、モンタン酸の金属塩又はステアリン酸の金属塩が好ましい。
【０３３１】
（高級脂肪酸エステル）
高級脂肪酸エステルとは、高級脂肪酸とアルコールとのエステル化物である。
【０３３２】
高級脂肪酸エステルとしては、炭素数８以上４０以下の脂肪族カルボン酸と炭素数８以上４０以下の脂肪族アルコールとのエステルが好ましい。
【０３３３】
炭素数８以上４０以下の脂肪族アルコールとしては、例えば、ステアリルアルコール、ベヘニルアルコール、ラウリルアルコール等が挙げられる。
【０３３４】
高級脂肪酸エステルとして具体的には、例えば、ステアリン酸ステアリル、ベヘン酸ベヘニル等が挙げられる。
【０３３５】
（高級脂肪酸アミド）
高級脂肪酸アミドとは、高級脂肪酸のアミド化合物である。
【０３３６】
高級脂肪酸アミドとしては、例えば、ステアリン酸アミド、オレイン酸アミド、エルカ酸アミド、エチレンビスステアリルアミド、エチレンビスオレイルアミド、Ｎ−ステアリルステアリン酸アミド、Ｎ−ステアリルエルカ酸アミド等が挙げられる。
【０３３７】
これらの高級脂肪酸、高級脂肪酸金属塩、高級脂肪酸エステル及び高級脂肪酸アミドは、それぞれ１種類を単独で用いてもよいし、２種類以上を組み合せて用いてもよい。
【０３３８】
［（Ｈ２）劣化抑制剤］
本実施形態のポリアミド組成物に含まれる（Ｈ２）劣化抑制剤は、熱劣化、熱時の変色防止、及び、耐熱エージング性の向上を目的として用いられる。
【０３３９】
（Ｈ２）劣化抑制剤としては、特に限定されないが、例えば、銅化合物、フェノール系安定剤、ホスファイト系安定剤、ヒンダードアミン系安定剤、トリアジン系安定剤、ベンゾトリアゾール系安定剤、ベンゾフェノン系安定剤、シアノアクリレート系安定剤、サリシレート系安定剤、イオウ系安定剤等が挙げられる。
【０３４０】
銅化合物としては、例えば、酢酸銅、ヨウ化銅等が挙げられる。
【０３４１】
フェノール系安定剤としては、例えば、ヒンダードフェノール化合物等が挙げられる。
【０３４２】
これらの（Ｈ２）劣化抑制剤は、１種類を単独で用いてもよいし、２種類以上を組み合せて用いてもよい。
【０３４３】
［（Ｈ３）造核剤］
（Ｈ３）造核剤とは、添加により以下の（１）〜（３）のうち少なくともいずれか１つの効果が得られる物質のことを意味する。
（１）ポリアミド組成物の結晶化ピーク温度を上昇させる効果。
（２）結晶化ピークの補外開始温度と補外終了温度との差を小さくする効果。
（３）得られる成形品の球晶を微細化又はサイズの均一化させる効果。
【０３４４】
（Ｈ３）造核剤としては、以下に限定されるものではないが、例えば、タルク、窒化ホウ素、マイカ、カオリン、窒化珪素、カーボンブラック、チタン酸カリウム、二硫化モリブデン等が挙げられる。
【０３４５】
（Ｈ３）造核剤は、１種類のみを単独で用いてもよいし、２種類以上を組み合わせて用いてもよい。
【０３４６】
中でも、（Ｈ３）造核剤としては、造核剤効果の観点で、タルク又は窒化ホウ素が好ましい。
【０３４７】
また、造核剤の効果が高いため、（Ｈ３）造核剤の数平均粒径は０．０１μｍ以上１０μｍ以下が好ましい。
【０３４８】
造核剤の数平均粒径は、以下の方法を用いて測定することができる。まず、成形品をギ酸等のポリアミドが可溶な溶媒で溶解する。次いで、得られた不溶成分の中から、例えば、１００個以上の造核剤を任意に選択する。次いで、光学顕微鏡や走査型電子顕微鏡等で観察して、粒径を測定することにより求めることができる。
【０３４９】
本実施形態のポリアミド組成物中の造核剤の含有量は、ポリアミド（（Ａ）脂肪族ポリアミド及び（Ｂ）半芳香族ポリアミド）１００質量部に対して、０．００１質量部以上１質量部以下が好ましく、０．００１質量部以上０．５質量部以下がより好ましく、０．００１質量部以上０．０９質量部以下がさらに好ましい。
【０３５０】
造核剤の含有量を、ポリアミド１００質量部に対して、上記下限値以上とすることにより、ポリアミド組成物の耐熱性がより向上する傾向にある、また、造核剤の含有量を、ポリアミド１００質量部に対して、上記上限値以下とすることにより、靭性により優れるポリアミド組成物が得られる。
【０３５１】
［（Ｈ４）熱安定剤］
（Ｈ４）熱安定剤としては、以下に制限されないが、例えば、フェノール系熱安定剤、リン系熱安定剤、アミン系熱安定剤、元素周期律表の第３族、第４族及び第１１〜１４族の元素の金属塩、アルカリ金属及びアルカリ土類金属のハロゲン化物等が挙げられる。
【０３５２】
（フェノール系熱安定剤）
フェノール系熱安定剤としては、以下に限定されるものではないが、例えば、ヒンダードフェノール化合物等が挙げられる。ヒンダードフェノール化合物は、ポリアミド等の樹脂や繊維に優れた耐熱性及び耐光性を付与する性質を有する。
【０３５３】
ヒンダードフェノール化合物としては、以下に限定されるものではないが、例えば、Ｎ，Ｎ'−へキサン−１，６−ジイルビス［３−（３，５−ジ−ｔ−ブチル−４−ヒドロキシフェニルプロピオンアミド）、ペンタエリスリチル−テトラキス［３−（３，５−ジ−ｔ−ブチル−４−ヒドロキシフェニル）プロピオネート］、Ｎ，Ｎ'−ヘキサメチレンビス（３，５−ジ−ｔ−ブチル−４−ヒドロキシ−ヒドロシンナマミド）、トリエチレングリコール−ビス［３−（３−ｔ−ブチル−５−メチル−４−ヒドロキシフェニル）プロピオネート］、３，９−ビス｛２−［３−（３−ｔ−ブチル−４−ヒドロキシ−５−メチルフェニル）プロピニロキシ］−１，１−ジメチルエチル｝−２，４，８，１０−テトラオキサスピロ［５，５］ウンデカン、３，５−ジ−ｔ−ブチル−４−ヒドロキシベンジルホスホネート−ジエチルエステル、１，３，５−トリメチル−２，４，６−トリス（３，５−ジ−ｔ−ブチル−４−ヒドロキシベンジル）ベンゼン、１，３，５−トリス（４−ｔ−ブチル−３−ヒドロキシ−２，６−ジメチルベンジル）イソシアヌル酸等が挙げられる。
【０３５４】
これらは、ヒンダードフェノール化合物は、１種のみを単独で用いてもよく、２種以上を組み合わせて用いてもよい。
【０３５５】
特に、耐熱エージング性向上の観点から、ヒンダードフェノール化合物としては、Ｎ，Ｎ'−へキサン−１，６−ジイルビス［３−（３，５−ジ−ｔ−ブチル−４−ヒドロキシフェニルプロピオンアミド）］が好ましい。
【０３５６】
フェノール系熱安定剤を用いる場合、ポリアミド組成物中のフェノール系熱安定剤の含有量は、ポリアミド組成物の総質量に対して、０．０１質量％以上１質量％以下が好ましく、０．１質量％以上１質量％以下がより好ましい。
【０３５７】
フェノール系熱安定剤の含有量が上記の範囲内の場合、ポリアミド組成物の耐熱エージング性をより一層向上させ、さらにガス発生量をより低減させることができる。
【０３５８】
（リン系熱安定剤）
リン系熱安定剤としては、以下に限定されるものではないが、例えば、ペンタエリスリトール型ホスファイト化合物、トリオクチルホスファイト、トリラウリルホスファイト、トリデシルホスファイト、オクチルジフェニルホスファイト、トリスイソデシルホスファイト、フェニルジイソデシルホスファイト、フェニルジ（トリデシル）ホスファイト、ジフェニルイソオクチルホスファイト、ジフェニルイソデシルホスファイト、ジフェニル（トリデシル）ホスファイト、トリフェニルホスファイト、トリス（ノニルフェニル）ホスファイト、トリス（２，４−ジ−ｔ−ブチルフェニル）ホスファイト、トリス（２，４−ジ−ｔ−ブチル−５−メチルフェニル）ホスファイト、トリス（ブトキシエチル）ホスファイト、４，４'−ブチリデン−ビス(３−メチル−６−ｔ−ブチルフェニル−テトラ−トリデシル）ジホスファイト、テトラ（Ｃ１２〜Ｃ１５混合アルキル）−４，４'−イソプロピリデンジフェニルジホスファイト、４，４'−イソプロピリデンビス（２−ｔ−ブチルフェニル）−ジ（ノニルフェニル）ホスファイト、トリス（ビフェニル）ホスファイト、テトラ（トリデシル）−１，１，３−トリス（２−メチル−５−ｔ−ブチル−４−ヒドロキシフェニル）ブタンジホスファイト、テトラ（トリデシル）−４，４'−ブチリデンビス（３−メチル−６−ｔ−ブチルフェニル）ジホスファイト、テトラ（Ｃ１〜Ｃ１５混合アルキル）−４，４'−イソプロピリデンジフェニルジホスファイト、トリス（モノ、ジ混合ノニルフェニル）ホスファイト、４，４'−イソプロピリデンビス（２−ｔ−ブチルフェニル）−ジ（ノニルフェニル）ホスファイト、９，１０−ジ−ヒドロ−９−オキサ−９−オキサ−１０−ホスファフェナンスレン−１０−オキサイド、トリス（３，５−ジ−ｔ−ブチル−４−ヒドロキシフェニル）ホスファイト、水素化−４，４'−イソプロピリデンジフェニルポリホスファイト、ビス（オクチルフェニル）−ビス（４，４'−ブチリデンビス（３−メチル−６−ｔ−ブチルフェニル））−１，６−ヘキサノールジホスファイト、ヘキサトリデシル−１，１，３−トリス（２−メチル−４−ヒドロキシ−５−ｔ−ブチルフェニル）ジホスファイト、トリス（４、４'−イソプロピリデンビス（２−ｔ−ブチルフェニル））ホスファイト、トリス（１，３−ステアロイルオキシイソプロピル）ホスファイト、２、２−メチレンビス（４，６−ジ−ｔ−ブチルフェニル）オクチルホスファイト、２，２−メチレンビス（３−メチル−４，６−ジ−ｔ−ブチルフェニル）２−エチルヘキシルホスファイト、テトラキス（２，４−ジ−ｔ−ブチル−５−メチルフェニル）−４，４'−ビフェニレンジホスファイト、テトラキス（２，４−ジ−ｔ−ブチルフェニル）−４，４'−ビフェニレンジホスファイト等が挙げられる。
【０３５９】
これらリン系熱安定剤は、１種のみを単独で用いてもよく、２種以上を組み合わせて用いてもよい。
【０３６０】
中でも、リン系熱安定剤としては、ポリアミド組成物の耐熱エージング性の一層の向上及びガス発生量の低減という観点から、ペンタエリスリトール型ホスファイト化合物及びトリス（２，４−ジ−ｔ−ブチルフェニル）ホスファイトからなる群より選ばれる１種以上が好ましい。
【０３６１】
ペンタエリスリトール型ホスファイト化合物としては、以下に限定されるものではないが、例えば、２，６−ジ−ｔ−ブチル−４−メチルフェニル−フェニル−ペンタエリスリトールジホスファイト、２，６−ジ−ｔ−ブチル−４−メチルフェニル−メチル−ペンタエリスリトールジホスファイト、２，６−ジ−ｔ−ブチル−４−メチルフェニル−２−エチルヘキシル−ペンタエリスリトールジホスファイト、２，６−ジ−ｔ−ブチル−４−メチルフェニル−イソデシル−ペンタエリスリトールジホスファイト、２，６−ジ−ｔ−ブチル−４−メチルフェニル−ラウリル−ペンタエリスリトールジホスファイト、２，６−ジ−ｔ−ブチル−４−メチルフェニル−イソトリデシル−ペンタエリスリトールジホスファイト、２，６−ジ−ｔ−ブチル−４−メチルフェニル−ステアリル・ペンタエリスリトールジホスファイト、２，６−ジ−ｔ−ブチル−４−メチルフェニル・シクロヘキシル−ペンタエリスリトールジホスファイト、２，６−ジ−ｔ−ブチル−４−メチルフェニル−ベンジル−ペンタエリスリトールジホスファイト、２，６−ジ−ｔ−ブチル−４−メチルフェニル・エチルセロソルブ−ペンタエリスリトールジホスファイト、２，６−ジ−ｔ−ブチル−４−メチルフェニル−ブチルカルビトール−ペンタエリスリトールジホスファイト、２，６−ジ−ｔ−ブチル−４−メチルフェニル−オクチルフェニル−ペンタエリスリトールジホスファイト、２，６−ジ−ｔ−ブチル−４−メチルフェニル−ノニルフェニル・ペンタエリスリトールジホスファイト、ビス（２，６−ジ−ｔ−ブチル−４−メチルフェニル）ペンタエリスリトールジホスファイト、ビス（２，６−ジ−ｔ−ブチル−４−エチルフェニル）ペンタエリスリトールジホスファイト、２，６−ジ−ｔ−ブチル−４−メチルフェニル−２，６−ジ−ｔ−ブチルフェニル−ペンタエリスリトールジホスファイト、２，６−ジ−ｔ−ブチル−４−メチルフェニル−２，４−ジ−ｔ−ブチルフェニル−ペンタエリスリトールジホスファイト、２，６−ジ−ｔ−ブチル−４−メチルフェニル−２，４−ジ−ｔ−オクチルフェニル−ペンタエリスリトールジホスファイト、２，６−ジ−ｔ−ブチル−４−メチルフェニル−２−シクロヘキシルフェニル−ペンタエリスリトールジホスファイト、２，６−ジ−ｔ−アミル−４−メチルフェニル−フェニル・ペンタエリストリトールジホスファイト、ビス（２，６−ジ−ｔ−アミル−４−メチルフェニル）ペンタエリスリトールジホスファイト、ビス（２，６−ジ−ｔ−オクチル−４−メチルフェニル）ペンタエリスリトールジホスファイト等が挙げられる。
【０３６２】
これらペンタエリスリトール型ホスファイト化合物は、１種のみを単独で用いてもよく、２種以上を組み合わせて用いてもよい。
【０３６３】
中でも、ペンタエリスリトール型ホスファイト化合物としては、ポリアミド組成物のガス発生量を低減させる観点から、ビス（２，６−ジ−ｔ−ブチル−４−メチルフェニル）ペンタエリスリトールジホスファイト、ビス（２，６−ジ−ｔ−ブチル−４−エチルフェニル）ペンタエリスリトールジホスファイト、ビス（２，６−ジ−ｔ−アミル−４−メチルフェニル）ペンタエリスリトールジホスファイト、及び、ビス（２、６−ジ−ｔ−オクチル−４−メチルフェニル）ペンタエリスリトールジホスファイトからなる群より選ばれる１種以上が好ましく、ビス（２，６−ジ−ｔ−ブチル−４−メチルフェニル）ペンタエリスリトールジホスファイトがより好ましい。
【０３６４】
リン系熱安定剤を用いる場合、ポリアミド組成物中のリン系熱安定剤の含有量は、ポリアミド組成物の総質量に対して、０．０１質量％以上１質量％以下が好ましく、０．１質量％以上１質量％以下がより好ましい。
【０３６５】
リン系熱安定剤の含有量が上記の範囲内の場合、ポリアミド組成物の耐熱エージング性をより一層向上させ、さらにガス発生量をより低減させることができる。
【０３６６】
（アミン系熱安定剤）
アミン系熱安定剤としては、以下に限定されるものではないが、例えば、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−（フェニルアセトキシ）−２，２，６，６−テトラメチルピペリジン、４−ベンゾイルオキシ−２，２，６，６−テトラメチルピペリジン、４−メトキシ−２，２，６，６−テトラメチルピペリジン、４−ステアリルオキシ−２，２，６，６−テトラメチルピペリジン、４−シクロヘキシルオキシ−２，２，６，６−テトラメチルピペリジン、４−ベンジルオキシ−２，２，６，６−テトラメチルピペリジン、４−フェノキシ−２，２，６，６−テトラメチルピペリジン、４−（エチルカルバモイルオキシ）−２，２，６，６−テトラメチルピペリジン、４−（シクロヘキシルカルバモイルオキシ）−２，２，６，６−テトラメチルピペリジン、４−（フェニルカルバモイルオキシ）−２，２，６，６−テトラメチルピペリジン、ビス（２，２，６，６−テトラメチル−４−ピペリジル）−カーボネート、ビス（２，２，６，６−テトラメチル−４−ピペリジル）−オキサレート、ビス（２，２，６，６−テトラメチル−４−ピペリジル）−マロネート、ビス（２，２，６，６−テトラメチル−４−ピペリジル）−セバケート、ビス（２，２，６，６−テトラメチル−４−ピペリジル）−アジペート、ビス（２，２，６，６−テトラメチル−４−ピペリジル）−テレフタレート、１，２−ビス（２，２，６，６−テトラメチル−４−ピペリジルオキシ）−エタン、α，α'−ビス（２，２，６，６−テトラメチル−４−ピペリジルオキシ）−ｐ−キシレン、ビス（２，２，６，６−テトラメチル−４−ピペリジルトリレン−２，４−ジカルバメート、ビス（２，２，６，６−テトラメチル−４−ピペリジル）−ヘキサメチレン−１，６−ジカルバメート、トリス（２，２，６，６−テトラメチル−４−ピペリジル）−ベンゼン−１，３，５−トリカルボキシレート、トリス（２，２，６，６−テトラメチル−４−ピペリジル）−ベンゼン−１，３，４−トリカルボキシレート、１−［２−｛３−（３，５−ジ−ｔ−ブチル−４−ヒドロキシフェニル）プロピオニルオキシ｝ブチル］−４−［３−（３，５−ジ−ｔ−ブチル−４−ヒドロキシフェニル）プロピオニルオキシ］２，２，６，６−テトラメチルピペリジン、１，２，３，４−ブタンテトラカルボン酸と１，２，２，６，６−ペンタメチル−４−ピペリジノールとβ，β，β'，β'−テトラメチル−３，９−［２，４，８，１０−テトラオキサスピロ（５，５）ウンデカン］ジエタノールとの縮合物等が挙げられる。
【０３６７】
これらアミン系熱安定剤は、１種のみを単独で用いてもよく、２種以上を組み合わせて用いてもよい。
【０３６８】
アミン系熱安定剤を用いる場合、ポリアミド組成物中のアミン系熱安定剤の含有量は、ポリアミド組成物の総質量に対して、０．０１質量％以上１質量％以下が好ましく、０．１質量％以上１質量％以下がより好ましい。
【０３６９】
アミン系熱安定剤の含有量が上記の範囲内の場合、ポリアミド組成物の耐熱エージング性をより一層向上させることができ、さらにガス発生量をより低減させることができる。
【０３７０】
（元素周期律表の第３族、第４族及び第１１〜１４族の元素の金属塩）
元素周期律表の第３族、第４族及び第１１〜１４族の元素の金属塩としては、これらの族に属する金属の塩であれば何ら制限されることはない。
【０３７１】
中でも、ポリアミド組成物の耐熱エージング性を一層向上させる観点から、銅塩が好ましい。かかる銅塩としては、以下に制限されないが、例えば、ハロゲン化銅、酢酸銅、プロピオン酸銅、安息香酸銅、アジピン酸銅、テレフタル酸銅、イソフタル酸銅、サリチル酸銅、ニコチン酸銅、ステアリン酸銅、キレート剤に銅の配位した銅錯塩が挙げられる。
【０３７２】
ハロゲン化銅としては、例えば、ヨウ化銅、臭化第一銅、臭化第二銅、塩化第一銅等が挙げられる。
【０３７３】
キレート剤としては、例えば、エチレンジアミン、エチレンジアミン四酢酸等が挙げられる。
【０３７４】
これら銅塩は、１種単独で用いてもよく、２種以上を組み合わせて用いてもよい。
【０３７５】
中でも、銅塩としては、ヨウ化銅、臭化第一銅、臭化第二銅、塩化第一銅及び酢酸銅からなる群より選ばれる１種以上が好ましく、ヨウ化銅及び酢酸銅からなる群より選ばれる１種以上がより好ましい。上記に挙げた好ましい銅塩を用いた場合、耐熱エージング性により優れ、且つ、押出時のスクリューやシリンダー部の金属腐食（以下、単に「金属腐食」とも称する場合がある）をより効果的に抑制できるポリアミド組成物が得られる。
【０３７６】
（Ｈ４）熱安定剤として銅塩を用いる場合、ポリアミド組成物中の銅塩の含有量は、ポリアミド（（Ａ）脂肪族ポリアミド及び（Ｂ）半芳香族ポリアミド）の総質量に対して、０．０１質量％以上０．６０質量％以下が好ましく、０．０２質量％以上０．４０質量％以下がより好ましい。
【０３７７】
銅塩の含有量が上記範囲内の場合、ポリアミド組成物の耐熱エージング性をより一層向上させるとともに、銅の析出や金属腐食をより効果的に抑制することができる。
【０３７８】
また、上記の銅塩に由来する銅元素の含有濃度は、ポリアミド組成物の耐熱エージング性を向上させる観点から、ポリアミド（（Ａ）脂肪族ポリアミド及び（Ｂ）半芳香族ポリアミド）１０６質量部（１００万質量部）に対して、１０質量部以上２０００質量部以下が好ましく、３０質量部以上１５００質量部以下がより好ましく、５０質量部以上５００質量部以下がさらに好ましい。
【０３７９】
（アルカリ金属及びアルカリ土類金属のハロゲン化物）
アルカリ金属及びアルカリ土類金属のハロゲン化物としては、以下に限定されるものではないが、例えば、ヨウ化カリウム、臭化カリウム、塩化カリウム、ヨウ化ナトリウム、塩化ナトリウム等が挙げられる。
【０３８０】
これらアルカリ金属及びアルカリ土類金属のハロゲン化物は、１種類を単独で用いてもよく、２種類以上を組み合わせて用いてもよい。
【０３８１】
中でも、アルカリ金属及びアルカリ土類金属のハロゲン化物としては、耐熱エージング性の向上及び金属腐食の抑制という観点から、ヨウ化カリウム及び臭化カリウムからなる群より選ばれる１種以上が好ましく、ヨウ化カリウムがより好ましい。
【０３８２】
アルカリ金属及びアルカリ土類金属のハロゲン化物を用いる場合、ポリアミド組成物中のアルカリ金属及びアルカリ土類金属のハロゲン化物の含有量は、ポリアミド（（Ａ）脂肪族ポリアミド及び（Ｂ）半芳香族ポリアミド）１００質量部に対して、０．０５質量部以上２０質量部以下が好ましく、０．２質量部以上１０質量部以下がより好ましい。
【０３８３】
アルカリ金属及びアルカリ土類金属のハロゲン化物の含有量が上記の範囲内の場合、ポリアミド組成物の耐熱エージング性がより一層向上するとともに、銅の析出や金属腐食をより効果的に抑制することができる。
【０３８４】
上記で説明してきた（Ｈ４）熱安定剤の成分は、１種のみを単独で用いてもよいし、２種以上を組み合わせて用いてもよい。
【０３８５】
中でも、（Ｈ４）熱安定剤としては、ポリアミド組成物の耐熱エージング性をより一層向上させる観点から、銅塩と、アルカリ金属及びアルカリ土類金属のハロゲン化物との混合物が好ましい。
【０３８６】
銅塩と、アルカリ金属及びアルカリ土類金属のハロゲン化物との含有比は、銅に対するハロゲンのモル比（ハロゲン／銅）として、２／１以上４０／１以下が好ましく、５／１以上３０／１以下がより好ましい。
【０３８７】
銅に対するハロゲンのモル比（ハロゲン／銅）が上記した範囲内の場合、ポリアミド組成物の耐熱エージング性をより一層向上させることができる。
【０３８８】
また、銅に対するハロゲンのモル比（ハロゲン／銅）が上記下限値以上である場合、銅の析出及び金属腐食をより効果的に抑制することができる。一方、銅に対するハロゲンのモル比（ハロゲン／銅）が上記上限値以下である場合、機械的物性（靭性等）を殆ど損なうことなく、成形機のスクリュー等の腐食をより効果的に防止できる。
【０３８９】
［（Ｈ６）その他樹脂］
本実施形態のポリアミド組成物に含まれる（Ｈ６）その他樹脂としては、特に限定されるものではないが、例えば、熱可塑性樹脂、ゴム成分等が挙げられる。
【０３９０】
（熱可塑性樹脂）
熱可塑性樹脂としては、例えば、ポリスチレン系樹脂、ポリエステル系樹脂、上記（Ａ）脂肪族ポリアミド及び上記（Ｂ）半脂肪族ポリアミド以外のポリアミド、ポリエーテル系樹脂、縮合系樹脂、アクリル系樹脂、ポリオレフィン系樹脂、含ハロゲンビニル化合物系樹脂、フェノール樹脂、エポキシ樹脂等が挙げられる。
【０３９１】
ポリスチレン系樹脂としては、例えば、アタクチックポリスチレン、アイソタクチックポリスチレン、シンジオタクチックポリスチレン、ＡＳ（アクリロニトリル−スチレン共重合体）樹脂、ＡＢＳ（アクリロニトリル−ブタジエン−スチレン共重合体）樹脂等が挙げられる。
【０３９２】
ポリエステル系樹脂としては、例えば、ポリエチレンテレフタレート、ポリブチレンテレフタレート等が挙げられる。
【０３９３】
ポリエーテル系樹としては、例えば、ポリカーボネート、ポリフェニレンエーテル、ポリスルホン、ポリエーテルスルホン等が挙げられる。
【０３９４】
縮合系樹脂としては、例えば、ポリフェニレンスルフィド、ポリオキシメチレン等が挙げられる。
【０３９５】
アクリル系樹脂としては、例えば、ポリアクリル酸、ポリアクリル酸エステル、ポリメチルメタクリレート等が挙げられる。
【０３９６】
ポリオレフィン系樹脂としては、例えば、ポリエチレン、ポリプロピレン、ポリブテン、エチレン−プロピレン共重合体等が挙げられる。
【０３９７】
含ハロゲンビニル化合物系樹脂としては、例えば、ポリ塩化ビニル、ポリ塩化ビニリデン等が挙げられる。
【０３９８】
これらの熱可塑性樹脂は、１種類を単独で用いてもよいし、２種類以上を組み合せて用いてもよい。
【０３９９】
ゴム成分としては、例えば、天然ゴム、ポリブタジエン、ポリイソプレン、ポリイソブチレン、ネオプレン、ポリスルフィドゴム、チオコールゴム、アクリルゴム、ウレタンゴム、シリコーンゴム、エピクロロヒドリンゴム、スチレン−ブタジエンブロック共重合体（ＳＢＲ）、水素添加スチレン−ブタジエンブロック共重合体（ＳＥＢ）、スチレン−ブタジエン−スチレンブロック共重合体（ＳＢＳ）、水素添加スチレン−ブタジエン−スチレンブロック共重合体（ＳＥＢＳ）、スチレン−イソプレンブロック共重合体（ＳＩＲ）、水素添加スチレン−イソプレンブロック共重合体（ＳＥＰ）、スチレン−イソプレン−スチレンブロック共重合体（ＳＩＳ）、水素添加スチレン−イソプレン−スチレンブロック共重合体（ＳＥＰＳ）、スチレン−ブタジエンランダム共重合体、水素添加スチレン−ブタジエンランダム共重合体、スチレン−エチレン−プロピレンランダム共重合体、スチレン−エチレン−ブチレンランダム共重合体、エチレン−プロピレン共重合体（ＥＰＲ）、エチレン−（１−ブテン）共重合体、エチレン−（１−ヘキセン）共重合体、エチレン−（１−オクテン）共重合体、エチレン−プロピレン−ジエン共重合体（ＥＰＤＭ）、シロキサン含有コアシェルゴム等が挙げられる。
【０４００】
シロキサン含有コアシェルゴムとしては、例えば、ブタジエン−アクリロニトリル−スチレン−コアシェルゴム（ＡＢＳ）、メチルメタクリレート−ブタジエン−スチレン−コアシェルゴム（ＭＢＳ）、メチルメタクリレート−ブチルアクリレート−スチレン−コアシェルゴム（ＭＡＳ）、オクチルアクリレート−ブタジエン−スチレン−コアシェルゴム（ＭＡＢＳ）、アルキルアクリレート−ブタジエン−アクリロニトリル−スチレンコアシェルゴム（ＡＡＢＳ）、ブタジエン−スチレン−コアシェルゴム（ＳＢＲ）、メチルメタクリレート−ブチルアクリレートシロキサン等が挙げられる。
【０４０１】
これらのゴム成分は、１種類を単独で用いてもよいし、２種類以上を組み合せて用いてもよい。
【０４０２】
＜ポリアミド組成物の製造方法＞
本実施形態のポリアミド組成物の製造方法としては、（Ａ）脂肪族ポリアミドと、上記（Ｂ）〜（Ｅ）の各成分、並びに、必要に応じて、（Ｆ）及び（Ｇ）の各成分と、を混合する方法であれば、特に限定されるものではない。
【０４０３】
上記（Ａ）〜（Ｅ）の各成分、並びに、必要に応じて、（Ｆ）及び（Ｇ）の各成分と、の混合方法としては、例えば、以下の（１）又は（２）の方法等が挙げられる。
【０４０４】
（１）上記（Ａ）〜（Ｅ）の各成分、並びに、必要に応じて、（Ｆ）及び（Ｇ）の各成分を、ヘンシェルミキサー等を用いて混合し溶融混練機に供給し混練する方法。
【０４０５】
（２）単軸又は２軸押出機で、上記（Ａ）〜（Ｅ）の各成分、並びに、必要に応じて、（Ｆ）成分を、予めヘンシェルミキサー等を用いて混合して（Ａ）〜（Ｅ）の各成分、並びに、必要に応じて、（Ｆ）成分を含む混合物を調製し、当該混合物を溶融混練機に供給し混練した後に、任意に、サイドフィダーから（Ｇ）充填材を配合する方法。
【０４０６】
ポリアミド組成物を構成する成分を溶融混練機に供給する方法は、すべての構成成分を同一の供給口に一度に供給してもよいし、構成成分をそれぞれ異なる供給口から供給してもよい。
【０４０７】
溶融混練の温度は、（Ａ）脂肪族ポリアミドの融点より１℃以上１００℃以下程度高い温度が好ましく、（Ａ）脂肪族ポリアミドの融点より１０℃以上５０℃以下程度高い温度がより好ましい。
【０４０８】
混練機での剪断速度は１００ｓｅｃ-1以上程度が好ましい。また、混練時の平均滞留時間は０．５分間以上５分間以下程度が好ましい。
【０４０９】
溶融混練を行う装置としては、公知の装置であればよく、例えば、単軸又は２軸押出機、バンバリーミキサー、溶融混練機（ミキシングロール等）等が好ましく用いられる。
【０４１０】
本実施形態のポリアミド組成物を製造する際の各成分の配合量は、上述したポリアミド組成物における各成分の含有量と同様である。
【０４１１】
≪成形品≫
本実施形態の成形品は、上記実施形態のポリアミド組成物を成形してなる。
【０４１２】
また、本実施形態の成形品は、表面光沢値が高い。本実施形態の成形品の表面光沢値は、５０以上が好ましく、５５以上がより好ましく、６０以上がさらに好ましい。成形品の表面光沢値が上記下限値以上であることにより、得られる成形品を自動車用、電気及び電子用、産業資材用、工業材料用、並びに、日用及び家庭品用等、各種部品として好適に使用することができる。
【０４１３】
成形品を得る方法としては、特に限定されず、公知の成形方法を用いることができる。
【０４１４】
公知の成形方法としては、例えば、押出成形、射出成形、真空成形、ブロー成形、射出圧縮成形、加飾成形、他材質成形、ガスアシスト射出成形、発砲射出成形、低圧成形、超薄肉射出成形（超高速射出成形）、金型内複合成形（インサート成形、アウトサート成形）等が挙げられる。
【０４１５】
＜用途＞
本実施形態の成形品は、上記実施形態のポリアミド組成物を含み、機械的性質（特に、引張強度、曲げ弾性率、シャルピー衝撃）、表面外観性等に優れ、様々な用途に用いることができる。
【０４１６】
本実施形態の成形品の用途としては、例えば、自動車分野、電気・電子分野、機械・工業分野、事務機器分野、航空・宇宙分野において、好適に用いることができる。
【実施例】
【０４１７】
以下、具体的な実施例及び比較例を挙げて本発明について詳細に説明するが、本発明は以下の実施例に限定されるものではない。
【０４１８】
以下、本実施例及び比較例に用いたポリアミド組成物の各構成成分について説明する。
【０４１９】
＜構成成分＞
［（Ａ）脂肪族ポリアミド］
Ａ−１：ポリアミド６６
Ａ−２：ポリアミド６（宇部興産製、型番：ＳＦ１０１３Ａ、Ｍｗ＝２６０００、Ｍｗ／Ｍｎ＝２．０）
【０４２０】
［（Ｂ）半芳香族ポリアミド］
Ｂ−１：ポリアミド６Ｉ
Ｂ−２：ポリアミド６Ｉ／６Ｔ（エムス社製、型番：Ｇ２１、Ｍｗ＝２７０００、Ｍｗ／Ｍｎ＝２．２、ＶＲ＝２７、Ｍｗ／ＶＲ＝１０００、ジカルボン酸単位のイソフタル酸単位の比率は７０モル％）
Ｂ−３：ポリアミド６Ｉ（高分子量）
Ｂ−４：ポリアミド６６／６Ｉ
Ｂ−５：ポリアミドＭＸＤ６（東洋紡社製、商品名：東洋紡ナイロン、Ｔ−６００、ジカルボン酸単位のイソフタル酸単位の比率は０モル％）
【０４２１】
［（Ｃ１）難燃剤］
Ｃ１：臭素化ポリスチレン（ＡＬＢＥＭＡＲＬＥ ＣＯＲＰＯＲＡＴＩＯＮ社製、商品名：「ＳＡＹＴＥＸ（登録商標）ＨＰ−７０１０Ｇ」（元素分析より求めた臭素含有量：６７質量％））
【０４２２】
［（Ｃ２）難燃助剤］
Ｃ２：三酸化二アンチモン（第一エフ・アール社製、商品名：「三酸化アンチモン」）
【０４２３】
［（Ｄ）白色顔料］
Ｄ：硫化亜鉛（ＺｎＳ）（ＳＡＣＨＴＯＬＩＴＨ ＨＤ−Ｓ）
【０４２４】
［（Ｅ）紫外線吸収剤］
Ｅ−１：ベンゾトリアゾール系紫外線吸収剤（ＵＶＡ−１）（アデカスタブＬＡ‐３１）
Ｅ−２：トリアジン系紫外線吸収剤（ＵＶＡ−２）（Ｔｉｎｕｖｉｎ１６００）
【０４２５】
［（Ｆ）α，β不飽和ジカルボン酸無水物単位を含む重合体］
Ｆ：無水マレイン酸変性ポリフェニレンエーテル
【０４２６】
［（Ｇ）充填材］
Ｇ：ガラス繊維（ＧＦ）（日本電気硝子製、商品名「ＥＣＳ０３Ｔ２７５Ｈ」平均繊維径１０μｍφ、カット長３ｍｍ）
【０４２７】
＜ポリアミドの製造＞
脂肪族ポリアミドＡ−１、半芳香族ポリアミドＢ−１、Ｂ−４、Ｂ−５、及び、（Ｆ）α，β不飽和ジカルボン酸無水物単位を含む重合体の各製造方法について以下に詳細を説明する。なお、下記製造方法によって、得られた脂肪族ポリアミドＡ−１、並びに、半芳香族ポリアミドＢ−１、Ｂ−４及びＢ−５は、窒素気流中で乾燥し、水分率を約０．２質量％に調整してから、後述の実施例及び比較例におけるポリアミド組成物の原料として用いた。
【０４２８】
［合成例１］脂肪族ポリアミドＡ−１（ポリアミド６６）の合成
「熱溶融重合法」によりポリアミドの重合反応を以下のとおり実施した。
まず、アジピン酸とヘキサメチレンジアミンとの等モル塩１５００ｇを蒸留水１５００ｇに溶解させて、原料モノマーの等モル５０質量％均一水溶液を作製した。この水溶液を、内容積５．４Ｌのオートクレーブに仕込み、窒素置換した。次いで、１１０〜１５０℃の温度下で撹拌しながら、溶液濃度７０質量％まで水蒸気を徐々に抜いて濃縮した。次いで、内部温度を２２０℃に昇温した。このとき、オートクレーブは１．８ＭＰａまで昇圧した。そのまま１時間、内部温度が２４５℃になるまで、水蒸気を徐々に抜いて圧力を１．８ＭＰａに保ちながら１時間反応させた。次いで、１時間かけて圧力を降圧した。次いで、オートクレーブ内を真空装置で６５０ｔｏｒｒ（８６．６６ｋＰａ）の減圧下に１０分維持した。このとき、重合の最終内部温度は２６５℃であった。次いで、窒素で加圧し下部紡口（ノズル）からストランド状にし、水冷、カッティングを行いペレット状で排出して、１００℃、窒素雰囲気下で１２時間乾燥し、脂肪族ポリアミドＡ−１（ポリアミド６６）を得た。
【０４２９】
得られた脂肪族ポリアミドＡ−１（ポリアミド６６）は、Ｍｗ（Ａ）＝３５０００、Ｍｗ（Ａ）／Ｍｎ（Ａ）＝２.０であった。
【０４３０】
［合成例２］半芳香族ポリアミドＢ−１（ポリアミド６Ｉ）の合成
「熱溶融重合法」によりポリアミドの重合反応を以下のとおり実施した。
まず、イソフタル酸とヘキサメチレンジアミンとの等モル塩１５００ｇ、並びに、全等モル塩成分に対して１．５モル％過剰のアジピン酸、及び、０．５モル％の酢酸を蒸留水１５００ｇに溶解させ、原料モノマーの等モル５０質量％均一水溶液を作製した。次いで、  １１０〜１５０℃の温度下で撹拌しながら、溶液濃度７０質量％まで水蒸気を徐々に抜いて濃縮した。次いで、内部温度を２２０℃に昇温した。このとき、オートクレーブは１．８ＭＰａまで昇圧した。そのまま１時間、内部温度が２４５℃になるまで、水蒸気を徐々に抜いて圧力を１．８ＭＰａに保ちながら１時間反応させた。次いで、３０分かけて圧力を降圧した。次いで、オートクレーブ内を真空装置で６５０ｔｏｒｒ（８６．６６ｋＰａ）の減圧下に１０分維持した。このとき、重合の最終内部温度は２６５℃であった。次いで、窒素で加圧し下部紡口（ノズル）からストランド状にし、水冷、カッティングを行いペレット状で排出して、１００℃、窒素雰囲気下で１２時間乾燥し、半芳香族ポリアミドＢ−１（ポリアミド６Ｉ）を得た。
【０４３１】
得られた半芳香族ポリアミドＢ−１（ポリアミド６Ｉ）は、Ｍｗ（Ｂ）＝２００００、Ｍｗ（Ｂ）／Ｍｎ（Ｂ）＝２.０、ＶＲ（Ｂ）＝１２、Ｍｗ（Ｂ）／ＶＲ（Ｂ）＝１６６７、ジカルボン酸単位中のイソフタル酸単位の含有量は１００モル％であった。
【０４３２】
［合成例３］半芳香族ポリアミドＢ−３（ポリアミド６Ｉ）の合成
「熱溶融重合法」によりポリアミドの重合反応を以下のとおり実施した。
まず、イソフタル酸とヘキサメチレンジアミンとの等モル塩１５００ｇ、並びに、全等モル塩成分に対して１．０モル％過剰のアジピン酸、及び、０．５モル％の酢酸を蒸留水１５００ｇに溶解させ、原料モノマーの等モル５０質量％均一水溶液を作製した。次いで、    １１０〜１５０℃の温度下で撹拌しながら、溶液濃度７０質量％まで水蒸気を徐々に抜いて濃縮した。その後、内部温度を２２０℃に昇温した。このとき、オートクレーブは１．８ＭＰａまで昇圧した。そのまま１時間、内部温度が２４５℃になるまで、水蒸気を徐々に抜いて圧力を１．８ＭＰａに保ちながら１時間反応させた。次いで、  ３０分かけて圧力を降圧した。次いで、  オートクレーブ内を真空装置で６５０ｔｏｒｒ（８６．６６ｋＰａ）の減圧下に１０分維持した。このとき、重合の最終内部温度は２６５℃であった。次いで、  窒素で加圧し下部紡口（ノズル）からストランド状にし、水冷、カッティングを行いペレット状で排出して、１００℃、窒素雰囲気下で１２時間乾燥し、半芳香族ポリアミドＢ−３（ポリアミド６Ｉ）を得た。
【０４３３】
得られた半芳香族ポリアミドＢ−２（ポリアミド６Ｉ）は、Ｍｗ（Ｂ）＝２５０００、Ｍｗ（Ｂ）／Ｍｎ（Ｂ）＝２.１、ＶＲ（Ｂ）＝１６、Ｍｗ（Ｂ）／ＶＲ（Ｂ）＝１５６３、ジカルボン 酸単位中のイソフタル酸単位の含有量は１００モル％であった。
【０４３４】
［合成例４］半芳香族ポリアミドＢ−４（ポリアミド６６／６Ｉ）の合成
「熱溶融重合法」によりポリアミドの重合反応を以下のとおり実施した。
まず、アジピン酸とヘキサメチレンジアミンとの等モル塩１０４４ｇ、イソフタル酸とヘキサメチレンジアミンとの等モル塩４５６ｇ、及び、全等モル塩成分に対して０．５モル％過剰のアジピン酸を蒸留水１５００ｇに溶解させ、原料モノマーの等モル５０質量％均一水溶液を作製した。次いで、１１０〜１５０℃の温度下で撹拌しながら、溶液濃度７０質量％まで水蒸気を徐々に抜いて濃縮した。次いで、内部温度を２２０℃に昇温した。このとき、オートクレーブは１．８ＭＰａまで昇圧した。そのまま１時間、内部温度が２４５℃になるまで、水蒸気を徐々に抜いて圧力を１．８ＭＰａに保ちながら１時間反応させた。次いで、１時間かけて圧力を降圧した。次いで、オートクレーブ内を真空装置で６５０ｔｏｒｒ（８６．６６ｋＰａ）の減圧下に１０分維持した。このとき、重合の最終内部温度は２６５℃であった。次いで、窒素で加圧し下部紡口（ノズル）からストランド状にし、水冷、カッティングを行いペレット状で排出して、１００℃、窒素雰囲気下で１２時間乾燥し、半芳香族ポリアミドＢ−４（ポリアミド６６／６Ｉ）を得た。
【０４３５】
得られた半芳香族ポリアミドＢ−４（ポリアミド６６／６Ｉ）は、Ｍｗ（Ｂ）＝２８０００、Ｍｗ（Ｂ）／Ｍｎ（Ｂ）＝２．３、ＶＲ（Ｂ）＝２２、Ｍｗ（Ｂ）／ＶＲ（Ｂ）＝１２７３、ジカルボン酸単位中のイソフタル酸単位の含有量は３０モル％であった。
【０４３６】
［合成例５］無水マレイン酸変性ポリフェニレンエーテルの合成
２，６−ジメチルフェノールを酸化重合して得られた還元粘度（０．５ｇ／ｄＬのクロロホルム溶液、３０℃測定）０．５２のポリ（２，６−ジメチル−１，４−フェニレンエーテル）（以下、「ポリフェニレンエーテル」と略記する場合がある）を１００質量部と、相溶化剤として無水マレイン酸を１．０質量部とを用いた。上流側に１ヶ所（以下ｔｏｐ−Ｆと略記）と、押出機中央部並びにダイに近い下流側の２ヶ所に供給口（以下押出機中央部をｓｉｄｅ−１、ダイに近い下流側をｓｉｄｅ−２とそれぞれ略記する場合がある）を有する二軸押出機（Ｗｅｒｎｅｒ＆Ｐｆｌｅｉｄｅｒｅｒ社製：ＺＳＫ−４０）のｓｉｄｅ−１とｓｉｄｅ−２とは塞いだ状態にして、シリンダー設定温度３２０℃、スクリュー回転３００ｒｐｍ、吐出量２０．１５ｋｇ／ｈｒの条件下で、ポリフェニレンエーテルと無水マレイン酸とをドライブレンドしたものをｔｏｐ−Ｆより供給した。次いで、溶融混練してストランド状に取り出し、ストランドバス（水槽）で冷却した。次いで、カッターで造粒し、無水マレイン酸変性ポリフェニレンエーテルのペレットを得た。
【０４３７】
＜物性及び評価＞
まず、実施例及び比較例で得られたポリアミド組成物のペレットを、窒素気流中で乾燥し、ポリアミド組成物中の水分量を５００ｐｐｍ以下にした。次いで、水分量を調整した各ポリアミド組成物のペレットを用いて下記の方法を用いて、各種物性及び各種評価を実施した。
【０４３８】
［物性１］ｔａｎδピーク温度
日精工業（株）製ＰＳ４０Ｅ射出成形機を用い、シリンダー温度２９０℃、金型温度を１００℃に設定し、射出１０秒、冷却１０秒の射出成形条件で、ＪＩＳ−Ｋ７１３９に準じた成形品を成形した。この成形品を、動的粘弾性評価装置（ＧＡＢＯ社製、ＥＰＬＥＸＯＲ５００Ｎ）を用いて、以下の条件で測定した。
【０４３９】
（測定条件）
測定モード：引張
測定周波数：８．００Ｈｚ
昇温速度：３℃／分
温度範囲：マイナス１００〜２５０℃
【０４４０】
貯蔵弾性率Ｅ１及び損失弾性率Ｅ２の比（Ｅ２／Ｅ１）をｔａｎδとし、最も高い温度をｔａｎδピーク温度とした。
【０４４１】
［物性２］ポリアミド組成物の分子量と末端構造
（１）ポリアミド組成物の数平均分子量及び重量平均分子量
実施例及び比較例で得られたポリアミド組成物の数平均分子量（Ｍｎ）及び重量平均分子量（Ｍｗ）は、下記測定条件のＧＰＣ（ゲルパーミエーションクロマトグラフィー）を用いて測定した。次いで、ＧＰＣで得られた値を元に、Ｍｗ（Ａ）−Ｍｎ（Ｂ）及び分子量分布Ｍｗ／Ｍｎを計算した。また、ポリアミド組成物中の総ポリアミドのうち、数平均分子量Ｍｎが５００以上２０００以下であるポリアミドの含有量（質量％）は、ＧＰＣを用いて得られる各試料の溶出曲線（縦軸：検出器から得られるシグナル強度、横軸：溶出時間）から、ベースラインと溶出曲線とによって囲まれる数平均分子量５００以上２０００未満の領域の面積、及び、ベースラインと溶出曲線とによって囲まれる全数平均分子量の領域の面積より算出した。
【０４４２】
（測定条件）
測定装置：東ソー株式会社製、ＨＬＣ−８０２０
溶媒：ヘキサフルオロイソプロパノール溶媒
標準サンプル：ＰＭＭＡ（ポリメチルメタクリレート）標準サンプル（ポリマーラボラトリー社製）換算
ＧＰＣカラム：ＴＳＫ−ＧＥＬ  ＧＭＨＨＲ−Ｍ及びＧ１０００ＨＨＲ
【０４４３】
（２）アミノ末端量（［ＮＨ２］）
実施例及び比較例で得られたポリアミド組成物において、ポリマー末端に結合するアミノ末端量を、中和滴定により以下のとおり測定した。
【０４４４】
まず、各ポリアミド組成物３．０ｇを９０質量％フェノール水溶液１００ｍＬに溶解した。次いで、得られた溶液を用い、０．０２５Ｎの塩酸で滴定を行い、アミノ末端量（μ当量／ｇ）を求めた。終点はｐＨ計の指示値から決定した。
【０４４５】
（３）カルボキシ末端量（［ＣＯＯＨ］）
実施例及び比較例で得られたポリアミド組成物において、ポリマー末端に結合するカルボキシル末端量を、中和滴定により以下のとおり測定した。
【０４４６】
まず、ポリアミド組成物４．０ｇをベンジルアルコール５０ｍＬに溶解した。次いで、得られた溶液を用い、０．１ＮのＮａＯＨで滴定を行い、カルボキシル末端量（μ当量／ｇ）を求めた。終点はフェノールフタレイン指示薬の変色から決定した。
【０４４７】
（４）活性末端合計量にアミノ末端量の対する比（［ＮＨ２］／（［ＮＨ２］＋［ＣＯＯＨ］））
（２）及び（３）で得られたアミノ末端量（［ＮＨ２］）とカルボキシル末端量（［ＣＯＯＨ］）とを用いて、活性末端合計量（［ＮＨ２］＋［ＣＯＯＨ］）、及び、アミノ末端量の活性末端合計量に対する比（［ＮＨ２］／（［ＮＨ２］＋［ＣＯＯＨ］））を算出した。
【０４４８】
［物性３］ギ酸溶液粘度ＶＲ
半芳香族ポリアミドＢ−１〜Ｂ−５をギ酸に溶解し、ＡＳＴＭ―Ｄ７８９に準じて測定した。
【０４４９】
［評価１］成形性及び外観
（１）成形品の製造
装置は日精工業（株）製、「ＦＮ３０００」を用いた。シリンダー温度を２９０℃、金型温度を１００℃に設定し、射出１０秒、冷却１０秒の射出成形条件で、各ポリアミド組成物を用いて１００ショットまで成形を行い、成形品（ＩＳＯ試験片）を得た。
【０４５０】
（２）成形性の評価
成形時の離形の際、金型に固着した割合が１００ショットの内、何％であるかについて、以下の評価基準により成形性を評価した。
（評価基準）
Ａ：１０％以下
Ｂ：１０％より大きく２０％以下
Ｃ：２０％より大きく５０％以下
Ｄ：５０％より大きい
【０４５１】
（３）外観の評価
得られた成形品の外観に関して、成形品のつかみ部を、光沢計（ＨＯＲＩＢＡ製ＩＧ３２０）を用いてＪＩＳ−Ｋ７１５０に準じて６０度グロスを測定した。測定した表面光沢値から、以下の評価基準により外観を評価した。
（評価基準）
Ａ：６０以上
Ｂ：５５以上６０未満
Ｃ：５０以上５５未満
Ｄ：５０未満
【０４５２】
［評価２］耐候変色性
［評価１］で得られた成形品を、スガ試験機（株）製ＷＥＬ−ＳＵＮ−ＤＣＨ型サンシャインカーボンアーク灯式耐候性試験機を用いて、ブラックパネル温度６５℃、湿度５０％ＲＨ、水噴霧なしという条件にて１００時間暴露した。耐候試験後の評価方法としては、暴露前後の成形品の色調を測定し、日本電色社製色差計ＮＤ−３００Ａを用いて色差を求めた。色差(ΔＥ)が小さい程耐候性が良好であると評価した。
【０４５３】
［評価３］難燃性
ＵＬ９４（米国Ｕｎｄｅｒ Ｗｒｉｔｅｒｓ Ｌａｂｏｒａｔｏｒｉｅｓ Ｉｎｃで定められた規格）の方法を用いて測定を行った。なお、試験片（長さ１２７ｍｍ、幅１２．７ｍｍ、厚み１．６ｍｍ）は、射出成形機（日精工業（株）製ＰＳ４０Ｅ）にＵＬ試験片の金型（金型温度＝１００℃）を取り付けて、シリンダー温度：２９０℃で、各ポリアミド組成物を成形することにより作製した。射出圧力はＵＬ試験片成形する際の完全充填圧力＋２％の圧力で行った。難燃等級は、ＵＬ９４規格（垂直燃焼試験）に準じた。
【０４５４】
［評価４］ウエルド強度
長さ１２７ｍｍ、幅１２．７ｍｍ、厚み１．６ｍｍの形状の長さ方向の両端から、溶融樹脂が流れ込み、長さ方向の中央部にウエルドが形成されるような金型を取り付けた射出成形機（日精工業（株）製ＰＳ４０Ｅ）で、各ポリアミド組成物の成形を行い、試験片を得た。この成形した試験片をチャック間距離５０ｍｍ、引張速度５０ｍｍ／ｍｉｎにした以外は、ＡＳＴＭＤ６３８に準拠した方法で引張試験を実施し、引張強度を求めた。また、試験片を恒温恒湿（２３℃、５０ＲＨ％）雰囲気下に放置し吸水平衡に達した後、ＡＳＴＭＤ６３８に準拠した方法で引張強度を測定した。吸水後引張強度保持率は下記式（ｉ）を用いて求めた。
吸水後引張保持率（％）＝吸水後引張強度／吸水前引張強度×１００      ・・・（ｉ）
【０４５５】
［評価５］ロックウェル硬度
装置は日精工業（株）製、「ＦＮ３０００」を用いた。シリンダー温度を２９０℃、金型温度を１００℃に設定し、射出１０秒、冷却１０秒の射出成形条件で、各ポリアミド組成物を用いて、成形品（ＩＳＯ試験片）を得た。ロックウェル硬度(Ｍスケール)は、硬度計（（株）明石製作所製、ＡＲＫ−Ｆ３０００）を用いて測定した。また、試験片を恒温恒湿（２３℃、５０ＲＨ％）雰囲気下に放置し吸水平衡に達した後、ロックウェル硬度を測定した。吸水後ロックウェル硬度保持率は下記式（ｉｉ）を用いて求めた。
吸水後ロックウェル硬度保持率（％）
＝吸水後ロックウェル硬度／吸水前ロックウェル硬度×１００      ・・・（ｉｉ）
【０４５６】
［実施例１］ポリアミド組成物１の製造
東芝機械社製、ＴＥＭ３５ｍｍ２軸押出機（設定温度：２８０℃、スクリュー回転数３００ｒｐｍ）を用いて、押出機最上流部に設けられたトップフィード口より、（Ａ）脂肪族ポリアミドＡ−１と、（Ｂ）半芳香族ポリアミドＢ−１、（Ｃ１）難燃剤、（Ｃ２）難燃助剤、（Ｄ）白色顔料、（Ｅ）紫外線吸収剤Ｅ−１、及び、（Ｆ）α，β不飽和ジカルボン酸無水物単位を含む重合体を予めブレンドしたものと、を供給した。また、押出機下流側（トップフィード口より供給された樹脂が充分溶融している状態）のサイドフィード口より（Ｇ）充填材を供給した。次いで、ダイヘッドより押し出された溶融混練物をストランド状で冷却し、ペレタイズして、ポリアミド組成物１のペレットを得た。配合量は（Ａ）脂肪族ポリアミドＡ−１  １８．８質量％、（Ｂ）半芳香族ポリアミドＢ−１  １０．２質量％、（Ｃ１）難燃剤１０．０質量％、（Ｃ２）難燃助剤２．０質量％、（Ｄ）白色顔料２．０質量％、（Ｅ）紫外線吸収剤Ｅ−１  １．０質量％、（Ｆ）α，β不飽和ジカルボン酸無水物単位を含む重合体１．０質量％、及び、（Ｇ）充填材５５質量％とした。  
【０４５７】
また、得られたポリアミド組成物１のペレットを用いて、上記方法により成形品を製造し、各種物性及び評価を行った。評価結果を下記表１に示す。
【０４５８】
［実施例２］ポリアミド組成物２の製造
配合量を（Ａ）脂肪族ポリアミドＡ−１  １７．３質量％、及び、（Ｂ）半芳香族ポリアミドＢ−１  １１．７質量％に変更した以外は実施例１と同様の方法を用いて、ポリアミド組成物２のペレットを得た。得られたポリアミド組成物２のペレットを用いて、上記方法により成形品を製造し、各種物性及び評価を行った。評価結果を下記表１に示す。
【０４５９】
［実施例３］ポリアミド組成物３の製造
配合量を（Ａ）脂肪族ポリアミドＡ−１  １７．３質量％、（Ｂ）半芳香族ポリアミドＢ−１  ０質量％、及び、（Ｂ）半芳香族ポリアミドＢ−３  １１．７質量％に変更した以外は実施例１と同様の方法を用いて、ポリアミド組成物３のペレットを得た。得られたポリアミド組成物３のペレットを用いて、上記方法により成形品を製造し、各種物性及び評価を行った。評価結果を下記表１に示す。
【０４６０】
［実施例４］ポリアミド組成物４の製造
配合量を（Ａ）脂肪族ポリアミドＡ−１  １８．０質量％、（Ｂ）半芳香族ポリアミドＢ−１  １２．０質量％、及び、（Ｃ１）難燃剤９．０質量％に変更した以外は実施例１と同様の方法を用いて、ポリアミド組成物４のペレットを得た。得られたポリアミド組成物４のペレットを用いて、上記方法により成形品を製造し、各種物性及び評価を行った。評価結果を下記表１に示す。
【０４６１】
［実施例５］ポリアミド組成物５の製造
配合量を（Ａ）脂肪族ポリアミドＡ−１  １５．９質量％、（Ｂ）半芳香族ポリアミドＢ−１  １０．６質量％、（Ｃ１）難燃剤１２．０質量％、及び、（Ｅ）紫外線吸収剤Ｅ−１  １．５質量％に変更した以外は実施例１と同様の方法を用いて、ポリアミド組成物５のペレットを得た。得られたポリアミド組成物５のペレットを用いて、上記方法により成形品を製造し、各種物性及び評価を行った。評価結果を下記表１に示す。
【０４６２】
［実施例６］ポリアミド組成物６の製造
配合量を（Ａ）脂肪族ポリアミドＡ−１  １５．９質量％、及び、（Ｂ）半芳香族ポリアミドＢ−１  １３．１質量％に変更した以外は実施例１と同様の方法を用いて、ポリアミド組成物６のペレットを得た。得られたポリアミド組成物６のペレットを用いて、上記方法により成形品を製造し、各種物性及び評価を行った。評価結果を下記表１に示す。
【０４６３】
［実施例７］ポリアミド組成物７の製造
配合量を（Ａ）脂肪族ポリアミドＡ−１  １８．０質量％、（Ｂ）半芳香族ポリアミドＢ−１  １２．０質量％、及び、（Ｄ）白色顔料１．０質量％に変更した以外は実施例１と同様の方法を用いて、ポリアミド組成物７のペレットを得た。得られたポリアミド組成物７のペレットを用いて、上記方法により成形品を製造し、各種物性及び評価を行った。評価結果を下記表１に示す。
【０４６４】
［実施例８］ポリアミド組成物８の製造
配合量を（Ａ）脂肪族ポリアミドＡ−１  １６．８質量％、（Ｂ）半芳香族ポリアミドＢ−１  １１．２質量％、及び、（Ｄ）白色顔料３．０質量％に変更した以外は実施例１と同様の方法を用いて、ポリアミド組成物８のペレットを得た。得られたポリアミド組成物８のペレットを用いて、上記方法により成形品を製造し、各種物性及び評価を行った。評価結果を下記表１に示す。
【０４６５】
［実施例９］ポリアミド組成物９の製造
配合量を（Ａ）脂肪族ポリアミドＡ−１  １７．６質量％、（Ｂ）半芳香族ポリアミドＢ−１  １１．９質量％、及び、（Ｅ）紫外線吸収剤Ｅ−１  ０．５質量％に変更した以外は実施例１と同様の方法を用いて、ポリアミド組成物９のペレットを得た。得られたポリアミド組成物９のペレットを用いて、上記方法により成形品を製造し、各種物性及び評価を行った。評価結果を下記表１に示す。
【０４６６】
［実施例１０］ポリアミド組成物１０の製造
配合量を（Ａ）脂肪族ポリアミドＡ−１  １６．２質量％、（Ｂ）半芳香族ポリアミドＢ−１  １０．８質量％、及び、（Ｅ）紫外線吸収剤Ｅ−１  ３．０質量％に変更した以外は実施例１と同様の方法を用いて、ポリアミド組成物１０のペレットを得た。得られたポリアミド組成物１０のペレットを用いて、上記方法により成形品を製造し、各種物性及び評価を行った。評価結果を下記表１に示す。
【０４６７】
［実施例１１］ポリアミド組成物１１の製造
配合量を（Ａ）脂肪族ポリアミドＡ−１  ３８．９質量％、（Ｂ）半芳香族ポリアミドＢ−１  ２５．６質量％、（Ｃ１）難燃剤２２．２質量％、（Ｃ２）難燃助剤４．４質量％、（Ｄ）白色顔料４．４質量％、（Ｅ）紫外線吸収剤Ｅ−１  ２．２質量％、（Ｆ）α，β不飽和ジカルボン酸無水物単位を含む重合体２．２質量％、及び、（Ｇ）充填材０質量％に変更した以外は実施例１と同様の方法を用いて、ポリアミド組成物１１のペレットを得た。得られたポリアミド組成物１１のペレットを用いて、上記方法により成形品を製造し、各種物性及び評価を行った。評価結果を下記表１に示す。
【０４６８】
［実施例１２］ポリアミド組成物１２の製造
配合量を（Ａ）脂肪族ポリアミドＡ−１  １７．３質量％、（Ｂ）半芳香族ポリアミドＢ−１  １１．７質量％、（Ｅ）紫外線吸収剤Ｅ−１  ０質量％、及び、（Ｅ）紫外線吸収剤Ｅ−２  １．０質量％に変更した以外は実施例１と同様の方法を用いて、ポリアミド組成物１２のペレットを得た。得られたポリアミド組成物１２のペレットを用いて、上記方法により成形品を製造し、各種物性及び評価を行った。評価結果を下記表１に示す。
【０４６９】
［実施例１３］ポリアミド組成物１３の製造
配合量を（Ａ）脂肪族ポリアミドＡ−１  １８．５質量％、（Ｂ）半芳香族ポリアミドＢ−１  ０質量％、（Ｂ）半芳香族ポリアミドＢ−２  ８．０質量％、（Ｃ１）難燃剤１２．０質量％、及び、（Ｅ）紫外線吸収剤Ｅ−１  １．５質量％に変更した以外は実施例１と同様の方法を用いて、ポリアミド組成物１３のペレットを得た。得られたポリアミド組成物１３のペレットを用いて、上記方法により成形品を製造し、各種物性及び評価を行った。評価結果を下記表３に示す。
【０４７０】
［実施例１４］ポリアミド組成物１４の製造
配合量を（Ａ）脂肪族ポリアミドＡ−１  ４．７質量％、（Ｂ）半芳香族ポリアミドＢ−１  ０質量％、（Ｂ）半芳香族ポリアミドＢ−５  ３１．９質量％、（Ｃ１）難燃剤３．０質量％、及び、（Ｅ）紫外線吸収剤Ｅ−１  ０．４質量％に変更した以外は実施例１と同様の方法を用いて、ポリアミド組成物１４のペレットを得た。得られたポリアミド組成物１４のペレットを用いて、上記方法により成形品を製造し、各種物性及び評価を行った。評価結果を下記表３に示す。
【０４７１】
［実施例１５］ポリアミド組成物１５の製造
配合量を（Ａ）脂肪族ポリアミドＡ−１  ０質量％、（Ａ）脂肪族ポリアミドＡ−２  １８．５質量％、（Ｂ）半芳香族ポリアミドＢ−１  ０質量％、（Ｂ）半芳香族ポリアミドＢ−２  ８．０質量％、（Ｃ１）難燃剤１２．０質量％、及び、（Ｅ）紫外線吸収剤Ｅ−１  １．５質量％に変更した以外は実施例１と同様の方法を用いて、ポリアミド組成物１５のペレットを得た。得られたポリアミド組成物１５のペレットを用いて、上記方法により成形品を製造し、各種物性及び評価を行った。評価結果を下記表３に示す。
【０４７２】
［比較例１］ポリアミド組成物１６の製造
配合量を（Ａ）脂肪族ポリアミドＡ−１  ２９．０質量％、及び、（Ｂ）半芳香族ポリアミドＢ−１  ０質量％に変更した以外は実施例１と同様の方法を用いて、ポリアミド組成物１６のペレットを得た。得られたポリアミド組成物１６のペレットを用いて、上記方法により成形品を製造し、各種物性及び評価を行った。評価結果を下記表２に示す。
【０４７３】
［比較例２］ポリアミド組成物１７の製造
配合量を（Ａ）脂肪族ポリアミドＡ−１  ０質量％、及び、（Ｂ）半芳香族ポリアミドＢ−１  ２９．０質量％に変更した以外は実施例１と同様の方法を用いて、ポリアミド組成物１７のペレットを得た。得られたポリアミド組成物１７のペレットを用いて、上記方法により成形品を製造し、各種物性及び評価を行った。評価結果を下記表２に示す。
【０４７４】
［比較例３］ポリアミド組成物１８の製造
配合量を（Ａ）脂肪族ポリアミドＡ−１  ０質量％、（Ｂ）半芳香族ポリアミドＢ−１  ０質量％、及び、（Ｂ）半芳香族ポリアミドＢ−４  ２９．０質量％に変更した以外は実施例１と同様の方法を用いて、ポリアミド組成物１８のペレットを得た。得られたポリアミド組成物１８のペレットを用いて、上記方法により成形品を製造し、各種物性及び評価を行った。評価結果を下記表２に示す。
【０４７５】
［比較例４］ポリアミド組成物１９の製造
配合量を（Ａ）脂肪族ポリアミドＡ−１  １８．５質量％、（Ｂ）半芳香族ポリアミドＢ−１  １２．４質量％、及び、（Ｄ）白色顔料０．１質量％に変更した以外は実施例１と同様の方法を用いて、ポリアミド組成物１９のペレットを得た。得られたポリアミド組成物１９のペレットを用いて、上記方法により成形品を製造し、各種物性及び評価を行った。評価結果を下記表２に示す。
【０４７６】
［比較例５］ポリアミド組成物２０の製造
配合量を（Ａ）脂肪族ポリアミドＡ−１  １４．４質量％、（Ｂ）半芳香族ポリアミドＢ−１  ９．６質量％、及び、（Ｄ）白色顔料７．０質量％に変更した以外は実施例１と同様の方法を用いて、ポリアミド組成物２０のペレットを得た。得られたポリアミド組成物２０のペレットを用いて、上記方法により成形品を製造し、各種物性及び評価を行った。評価結果を下記表２に示す。
【０４７７】
［比較例６］ポリアミド組成物２１の製造
配合量を（Ａ）脂肪族ポリアミドＡ−１  １８．０質量％、（Ｂ）半芳香族ポリアミドＢ−１  １２．０質量％、及び、（Ｅ）紫外線吸収剤Ｅ−１  ０質量％に変更した以外は実施例１と同様の方法を用いて、ポリアミド組成物２１のペレットを得た。得られたポリアミド組成物２１のペレットを用いて、上記方法により成形品を製造し、各種物性及び評価を行った。評価結果を下記表２に示す。
【０４７８】
［比較例７］ポリアミド組成物２２の製造
配合量を（Ａ）脂肪族ポリアミドＡ−１  １５．０質量％、（Ｂ）半芳香族ポリアミドＢ−１  １０．０質量％、及び、（Ｅ）紫外線吸収剤Ｅ−１  ５．０質量％に変更した以外は実施例１と同様の方法を用いて、ポリアミド組成物２２のペレットを得た。得られたポリアミド組成物２２のペレットを用いて、上記方法により成形品を製造し、各種物性及び評価を行った。評価結果を下記表２に示す。
【０４７９】
［比較例８］ポリアミド組成物２３の製造
配合量を（Ａ）脂肪族ポリアミドＡ−１  １９．４質量％、（Ｂ）半芳香族ポリアミドＢ−１  ０質量％、（Ｂ）半芳香族ポリアミドＢ−２  ８．４質量％、（Ｃ１）難燃剤１２．０質量％、及び、（Ｅ）紫外線吸収剤Ｅ−１  ０．２質量％に変更した以外は実施例１と同様の方法を用いて、ポリアミド組成物２３のペレットを得た。得られたポリアミド組成物２３のペレットを用いて、上記方法により成形品を製造し、各種物性及び評価を行った。評価結果を下記表３に示す。
【０４８０】
［比較例９］ポリアミド組成物２４の製造
配合量を（Ａ）脂肪族ポリアミドＡ−１  ４．５質量％、（Ｂ）半芳香族ポリアミドＢ−１  ０質量％、（Ｂ）半芳香族ポリアミドＢ−５  ３０．８質量％、（Ｃ１）難燃剤３．０質量％、（Ｄ）白色顔料３．５質量％、及び、（Ｅ）紫外線吸収剤Ｅ−１  ０．２質量％に変更した以外は実施例１と同様の方法を用いて、ポリアミド組成物２４のペレットを得た。得られたポリアミド組成物２４のペレットを用いて、上記方法により成形品を製造し、各種物性及び評価を行った。評価結果を下記表３に示す。
【０４８１】
［比較例１０］ポリアミド組成物２５の製造
配合量を（Ａ）脂肪族ポリアミドＡ−１  ０質量％、（Ａ）脂肪族ポリアミドＡ−２  １９．６質量％、（Ｂ）半芳香族ポリアミドＢ−１  ０質量％、（Ｂ）半芳香族ポリアミドＢ−２  ８．４質量％、（Ｃ１）難燃剤１２．０質量％、及び、（Ｅ）紫外線吸収剤Ｅ−１  ０質量％に変更した以外は実施例１と同様の方法を用いて、ポリアミド組成物２５のペレットを得た。得られたポリアミド組成物２５のペレットを用いて、上記方法により成形品を製造し、各種物性及び評価を行った。評価結果を下記表３に示す。
【０４８２】
【表１】
2019089905.tif 000004
【０４８３】
【表２】
2019089905.tif 000005
【０４８４】
【表３】
2019089905.tif 000006
【０４８５】
表１〜３から、（Ａ）脂肪族ポリアミドと（Ｂ）半芳香族ポリアミドとを含み、（Ｄ）白色顔料に対する（Ｅ）紫外線吸収剤の質量比（Ｅ）／（Ｄ）が０．１５以上２．５未満の範囲（０．１５≦（（Ｅ）／（Ｄ））＜２．５）であるポリアミド組成物１〜１５（実施例１〜１５）から得られた成形品は、外観、並びに、吸水時のウエルド強度及びロックウェル硬度に優れ、且つ、耐候変色性にも優れた特性を有するものであった。
【０４８６】
これに対して、（Ｂ）半芳香族ポリアミドを含まないポリアミド組成物１６（比較例１）から得られた成形品は、外観、並びに、吸水時のウエルド強度及びロックウェル硬度が不充分であった。
また、（Ｂ）半芳香族ポリアミドを含むが、（Ａ）脂肪族ポリアミドを含まないポリアミド組成物１７及び１８（比較例２、３）から得られた成形品は、耐候変色性、並びに、吸水時のウエルド強度及びロックウェル硬度のうち、いずれかが不充分であった。
また、（Ｂ）半芳香族ポリアミドを含むが、（Ｄ）白色顔料に対する（Ｅ）紫外線吸収剤の質量比（Ｅ）／（Ｄ）が０．１５より小さい（（（Ｅ）／（Ｄ））＜０．１５）、又は、２．５０以上である（２．５≦（（Ｅ）／（Ｄ）））ポリアミド組成物１９〜２５（比較例４〜１０）から得られた成形品は、外観、耐候変色性、並びに、吸水時のウエルド強度及びロックウェル硬度のうち、いずれかが不充分であった。
【０４８７】
以上のことから、本実施形態のポリアミド組成物によれば、吸水時のウエルド強度及びロックウェル硬度、表面外観性、並びに、耐候変色性が良好な成形品が得られることが確かめられた。
【産業上の利用可能性】
【０４８８】
本実施形態のポリアミド組成物から得られる成形品は、自動車用、電気及び電子用、産業資材用、並びに日用及び家庭品用等の各種部品として、好適に用いられる。